(57)【要約】【課題】消費電力を抑制しつつ、画質の劣化を抑制する。【解決手段】表示装置１０は、画像表示パネルと、部分領域に光を照射する複数の光源部と、信号処理部２０と、を備える。信号処理部２０は、光照射値を複数の光源部のそれぞれについて算出する光照射値算出部７４と、画素の輝度を算出する輝度算出部７６と、所定の輝度値の範囲内にある画素が連続して存在するかを判定し、連続する画素の領域を塊と判定する塊判定部７８と、１つの部分領域における塊内の画素の輝度のうち、最大の輝度である最大輝度値を、部分領域毎に検出する最大輝度値検出部８０と、光照射値に輝度ゲイン値を乗じた値である補正光照射値が、上限照射値以下の値となるように、最大輝度値に基づき、部分領域毎に輝度ゲイン値を決定する輝度ゲイン値決定部８２と、補正光照射値に基づき、複数の光源部に光を照射させる光照射制御部８４と、を有する。【選択図】図５
2018036505.tif 000002
【特許請求の範囲】
【請求項１】
複数の画素が行列状に配置された画像表示パネルと、
前記画像表示パネルの画像表示面を領域分けした複数の部分領域に対応してそれぞれ配置され、対応する前記部分領域に光を照射する複数の光源部と、
画像の入力信号に基づいて前記画素を制御し、かつ、前記光源部の光の照射量を制御する信号処理部と、を備え、
前記信号処理部は、
前記入力信号に基づき、前記光源部の光の照射量である光照射値を、複数の前記光源部のそれぞれについて算出する光照射値算出部と、
前記入力信号に基づき、前記画素の輝度を算出する輝度算出部と、
複数の前記画素のうち、所定の輝度値の範囲内にある画素が連続して存在するかを判定し、連続する画素の領域を塊と判定する塊判定部と、
１つの前記部分領域における前記塊内の画素の輝度のうち、最大の輝度である最大輝度値を、前記部分領域毎に検出する最大輝度値検出部と、
前記光照射値に輝度ゲイン値を乗じた値である補正光照射値が、予め定められた所定の上限照射値以下の値となるように、前記最大輝度値に基づき、前記部分領域毎に前記輝度ゲイン値を決定する輝度ゲイン値決定部と、
前記補正光照射値に基づき、複数の前記光源部に光を照射させる光照射制御部と、
を有する、表示装置。
【請求項２】
前記輝度ゲイン値決定部は、前記最大輝度値が高い部分領域ほど、前記輝度ゲイン値を大きくする、請求項１に記載の表示装置。
【請求項３】
前記輝度ゲイン値決定部は、複数の前記部分領域のそれぞれの前記補正光照射値が、１つの前記光源部が照射可能な上限の光の照射量として予め定められた個別上限照射値以下の値となるように、前記輝度ゲイン値を算出する、請求項１又は請求項２に記載の表示装置。
【請求項４】
前記輝度ゲイン値決定部は、全ての前記部分領域の前記補正光照射値の合計値が、全ての前記光源部の照射量の合計の上限値として予め定められた合計上限照射値以下の値となるように、前記輝度ゲイン値を算出し、
前記合計上限照射値は、前記個別上限照射値に前記部分領域の総数を乗じた値よりも小さい、請求項３に記載の表示装置。
【請求項５】
前記輝度ゲイン値決定部は、
全ての前記部分領域の前記最大輝度値のうち最大の輝度である全域最大輝度値を検出する全域最大輝度値算出部と、
前記全域最大輝度値の部分領域における仮輝度ゲイン値が予め定められた設定ゲイン値となり、かつ、前記最大輝度値が小さい部分領域ほど前記仮輝度ゲイン値が小さくなるように、前記部分領域毎に前記仮輝度ゲイン値を算出する仮輝度ゲイン値算出部と、
前記仮輝度ゲイン値を補正した補正仮輝度ゲイン値を、前記補正仮輝度ゲイン値と前記光照射値とを乗じた値が前記個別上限照射値以下の値となるように、前記部分領域毎に算出する補正仮輝度ゲイン値算出部と、
前記補正仮輝度ゲイン値を補正した前記輝度ゲイン値を、前記輝度ゲイン値と前記光照射値とを乗じた値の前記部分領域毎の合計値が、前記合計上限照射値以下の値となるように、前記部分領域毎に算出する輝度ゲイン値算出部と、
を有する、請求項４に記載の表示装置。
【請求項６】
前記輝度ゲイン値決定部は、
前記光照射値と予め定められた設定突き上げ値とを乗じた値である突き上げ値を、前記部分領域毎に算出する突き上げ値算出部と、
前記突き上げ値を補正した値である第１補正突き上げ値を、前記最大輝度値が小さい部分領域ほど値が小さくなるように、前記部分領域毎に算出する第１補正突き上げ値算出部と、
前記合計上限照射値から前記光照射値の前記部分領域毎の合計値を差し引いた値である余裕値を算出する余裕値算出部と、
前記第１補正突き上げ値を補正した値である第２補正突き上げ値を、全ての前記部分領域の前記第２補正突き上げ値の合計値が、前記余裕値以下の値となるように前記部分領域毎に算出する第２補正突き上げ値算出部と、
前記第２補正突き上げ値に前記光照射値を加えた値を、前記光照射値で除した仮輝度ゲイン値を、前記部分領域毎に算出する仮輝度ゲイン値算出部と、
前記仮輝度ゲイン値を補正した値である前記輝度ゲイン値を、前記輝度ゲイン値に前記光照射値を乗じた値である前記補正光照射値が前記個別上限照射値以下の値となるように、前記部分領域毎に算出する輝度ゲイン値算出部と、
を有する、請求項４に記載の表示装置。
【請求項７】
請求項１から請求項６のいずれか１項に記載の表示装置と、
前記表示装置を制御する制御装置と、を有する電子機器。
【請求項８】
複数の画素が行列状に配置された画像表示パネルと、前記画像表示パネルの画像表示面を領域分けした複数の部分領域に対応してそれぞれ配置され、対応する前記部分領域に光を照射する複数の光源部とを有する表示装置の制御方法であって、
前記画素の入力信号に基づき、前記光源部の光の照射量である光照射値を、複数の前記光源部のそれぞれについて算出する光照射値算出ステップと、
複数の前記画素のうち、所定の輝度値の範囲内にある画素が連続して存在するかを判定し、連続する画素の領域を塊と判定する塊判定ステップと、
１つの前記部分領域における前記塊内の画素の輝度のうち、最大の輝度である最大輝度値を、前記部分領域毎に検出する最大輝度値検出ステップと、
前記光照射値に輝度ゲイン値を乗じた値である補正光照射値が、予め定められた所定の上限照射値以下の値となるように、前記最大輝度値に基づき、前記部分領域毎に前記輝度ゲイン値を決定する輝度ゲイン値決定ステップと、
前記補正光照射値に基づき、複数の前記光源部に光を照射させる光照射制御ステップと、を有する表示装置の駆動方法。
【請求項９】
複数の画素が行列状に配置された画像表示パネルと、
前記画像表示パネルの画像表示面を領域分けした複数の部分領域に対応してそれぞれ配置され、対応する前記部分領域に光を照射する複数の光源部と、
画像の入力信号に基づいて前記画素を制御し、かつ、前記光源部の光の照射量を制御する信号処理部と、を備え、
前記信号処理部は、
前記入力信号に基づき、前記光源部の光の照射量である光照射値を、複数の前記光源部のそれぞれについて算出する光照射値算出部と、
前記入力信号に基づき、前記画素の輝度を算出する輝度算出部と、
複数の前記画素のうち、所定の輝度値の範囲内にある画素が連続して存在するかを判定し、連続する画素の領域を塊と判定する塊判定部と、
１つの前記部分領域における前記塊内の画素の輝度のうち、最大の輝度である最大輝度値を、前記部分領域毎に検出する最大輝度値検出部と、
前記光照射値に輝度ゲイン値を乗じた値である補正光照射値が、予め定められた所定の上限照射値以下の値となるように、かつ、前記最大輝度値が高い部分領域ほど前記輝度ゲイン値が大きくなるように、前記最大輝度値に基づき、前記部分領域毎に前記輝度ゲイン値を決定する輝度ゲイン値決定部と、
を有する、表示装置。
【発明の詳細な説明】
【技術分野】
【０００１】
本開示は、表示装置、電子機器及び表示装置の駆動方法に関する。
【背景技術】
【０００２】
近年、携帯電話及び電子ペーパー等のモバイル機器向け等の表示装置の需要が高くなっている。表示装置では、１つの画素が複数の副画素を備え、当該複数の副画素がそれぞれ異なる色の光を出力し、当該副画素の表示のオン及びオフを切り換えることで、１つの画素で種々の色を表示させている。このような表示装置は、解像度及び輝度といった表示特性も年々向上してきている。しかし、解像度が高くなるにしたがって開口率が低下してくるため、高輝度を達成しようとした場合、バックライトの輝度を高くする必要があり、バックライトの消費電力が増大するという問題がある。
【０００３】
これを改善するため、従来の赤、緑、青の副画素に第４の副画素である白画素を加える技術がある（例えば、特許文献１）。この技術は、白画素が輝度を向上させる分、バックライトの照射量を下げ、消費電力を低減する。
【先行技術文献】
【特許文献】
【０００４】
【特許文献１】特開２０１１−１５４３２３号公報
【発明の概要】
【発明が解決しようとする課題】
【０００５】
近年、画像をより明るく表示することが求められている。さらに、このように画像を明るく表示する場合に、消費電力を抑制しつつ、画質の劣化を抑制することが求められる場合があり、このような場合の信号処理には、改善の余地がある。
【０００６】
本発明は、上記課題を解決するために、消費電力を抑制しつつ、画質の劣化を抑制する表示装置、電子機器及び表示装置の駆動方法を提供することを目的とする。
【課題を解決するための手段】
【０００７】
本開示の表示装置は、複数の画素が行列状に配置された画像表示パネルと、前記画像表示パネルの画像表示面を領域分けした複数の部分領域に対応してそれぞれ配置され、対応する前記部分領域に光を照射する複数の光源部と、画像の入力信号に基づいて前記画素を制御し、かつ、前記光源部の光の照射量を制御する信号処理部と、を備え、前記信号処理部は、前記入力信号に基づき、前記光源部の光の照射量である光照射値を、複数の前記光源部のそれぞれについて算出する光照射値算出部と、前記入力信号に基づき、前記画素の輝度を算出する輝度算出部と、複数の前記画素のうち、所定の輝度値の範囲内にある画素が連続して存在するかを判定し、連続する画素の領域を塊と判定する塊判定部と、１つの前記部分領域における前記塊内の画素の輝度のうち、最大の輝度である最大輝度値を、前記部分領域毎に検出する最大輝度値検出部と、前記光照射値に輝度ゲイン値を乗じた値である補正光照射値が、予め定められた所定の上限照射値以下の値となるように、前記最大輝度値に基づき、前記部分領域毎に前記輝度ゲイン値を決定する輝度ゲイン値決定部と、前記補正光照射値に基づき、複数の前記光源部に光を照射させる光照射制御部と、を有する。
【０００８】
本開示の表示装置の駆動方法は、複数の画素が行列状に配置された画像表示パネルと、前記画像表示パネルの画像表示面を領域分けした複数の部分領域に対応してそれぞれ配置され、対応する前記部分領域に光を照射する複数の光源部とを有する表示装置の制御方法であって、前記画素の入力信号に基づき、前記光源部の光の照射量である光照射値を、複数の前記光源部のそれぞれについて算出する光照射値算出ステップと、複数の前記画素のうち、所定の輝度値の範囲内にある画素が連続して存在するかを判定し、連続する画素の領域を塊と判定する塊判定ステップと、１つの前記部分領域における前記塊内の画素の輝度のうち、最大の輝度である最大輝度値を、前記部分領域毎に検出する最大輝度値検出ステップと、前記光照射値に輝度ゲイン値を乗じた値である補正光照射値が、予め定められた所定の上限照射値以下の値となるように、前記最大輝度値に基づき、前記部分領域毎に前記輝度ゲイン値を決定する輝度ゲイン値決定ステップと、前記補正光照射値に基づき、複数の前記光源部に光を照射させる光照射制御ステップと、を有する。
【０００９】
本開示の表示装置は、複数の画素が行列状に配置された画像表示パネルと、前記画像表示パネルの画像表示面を領域分けした複数の部分領域に対応してそれぞれ配置され、対応する前記部分領域に光を照射する複数の光源部と、画像の入力信号に基づいて前記画素を制御し、かつ、前記光源部の光の照射量を制御する信号処理部と、を備え、前記信号処理部は、前記入力信号に基づき、前記光源部の光の照射量である光照射値を、複数の前記光源部のそれぞれについて算出する光照射値算出部と、前記入力信号に基づき、前記画素の輝度を算出する輝度算出部と、複数の前記画素のうち、所定の輝度値の範囲内にある画素が連続して存在するかを判定し、連続する画素の領域を塊と判定する塊判定部と、１つの前記部分領域における前記塊内の画素の輝度のうち、最大の輝度である最大輝度値を、前記部分領域毎に検出する最大輝度値検出部と、前記光照射値に輝度ゲイン値を乗じた値である補正光照射値が、予め定められた所定の上限照射値以下の値となるように、かつ、前記最大輝度値が高い部分領域ほど前記輝度ゲイン値が大きくなるように、前記最大輝度値に基づき、前記部分領域毎に前記輝度ゲイン値を決定する輝度ゲイン値決定部と、を有する。
【図面の簡単な説明】
【００１０】
【図１】図１は、第１実施形態に係る表示装置の構成の一例を示すブロック図である。
【図２】図２は、第１実施形態に係る画像表示パネルの概念図である。
【図３】図３は、本実施形態に係る光源ユニットの説明図である。
【図４】図４は、画像表示面を示す模式図である。
【図５】図５は、第１実施形態に係る信号処理部の構成の概要を示すブロック図である。
【図６】図６は、第１実施形態の表示装置で再現可能な再現ＨＳＶ色空間の概念図である。
【図７】図７は、再現ＨＳＶ色空間の色相と彩度との関係を示す概念図である。
【図８Ａ】図８Ａは、水平方向における連続判定の処理フローを説明するフローチャートである。
【図８Ｂ】図８Ｂは、輝度範囲の一例を示す表である。
【図８Ｃ】図８Ｃは、塊の判定動作を説明するための説明図である。
【図９】図９は、最大輝度値の一例を説明する図である。
【図１０】図１０は、仮輝度ゲイン値の一例を説明するグラフである。
【図１１】図１１は、補正仮輝度ゲイン値の一例を説明するグラフである。
【図１２】図１２は、光源部に光を照射させる処理フローを説明するフローチャートである。
【図１３】図１３は、第２実施形態に係る信号処理部の構成の概要を示すブロック図である。
【図１４】図１４は、光源部に光を照射させる処理フローを説明するフローチャートである。
【図１５Ａ】図１５Ａは、第３実施形態に係る信号処理部の構成の概要を示すブロック図である。
【図１５Ｂ】図１５Ｂは、第３実施形態における光照射値の算出処理を説明するフローチャートである。
【図１５Ｃ】図１５Ｃは、第３実施形態における塊の光照射値の算出方法を示すフローチャートである。
【図１６】図１６は、適用例１における制御装置と表示装置の構成を示すブロック図である。
【図１７】図１７は、適用例１における出力信号と入力信号とを説明するグラフである。
【図１８】図１８は、適用例１における出力信号と入力信号とを説明するグラフである。
【図１９】図１９は、適用例１における出力信号と入力信号とを説明するグラフである。
【図２０】図２０は、第１実施形態に係る表示装置を適用する電子機器の一例を示す図である。
【図２１】図２１は、第１実施形態に係る表示装置を適用する電子機器の一例を示す図である。
【発明を実施するための形態】
【００１１】
以下に、本発明の実施の形態について、図面を参照しつつ説明する。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【００１２】
（第１実施形態）
（表示装置の全体構成）
図１は、第１実施形態に係る表示装置の構成の一例を示すブロック図である。図２は、第１実施形態に係る画像表示パネルの概念図である。図１に示すように、第１実施形態の表示装置１０は、信号処理部２０と、画像表示パネル駆動部３０と、画像表示パネル４０と、光源駆動部５０と、光源ユニット６０とを有する。信号処理部２０は、制御装置１１の画像出力部１２からの入力信号（ＲＧＢデータ）が入力され、入力信号に所定のデータ変換処理を加えて生成した信号を表示装置１０の各部に送る。画像表示パネル駆動部３０は、信号処理部２０からの信号に基づいて画像表示パネル４０の駆動を制御する。光源駆動部５０は、信号処理部２０からの信号に基づいて光源ユニット６０の駆動を制御する。光源ユニット６０は、光源駆動部５０の信号に基づいて画像表示パネル４０を背面から照明する。画像表示パネル４０は、画像表示パネル駆動部３０からの信号及び光源ユニット６０からの光により画像を表示させる。
【００１３】
（画像表示パネルの構成）
最初に、画像表示パネル４０の構成について説明する。図１及び図２に示すように、画像表示パネル４０は、画像を表示するための画像表示面４１に、画素４８が、Ｐ０×Ｑ０個（行方向にＰ０個、列方向にＱ０個）、２次元のマトリクス状（行列状）に配列されている。図１に示す例は、ＸＹの２次元座標系に複数の画素４８がマトリクス状に配列されている例を示している。この例において、Ｘ方向は、水平方向（行方向）であり、Ｙ方向は、垂直方向（列方向）であるが、これに限られず、Ｘ方向が垂直方向であってＹ方向が水平方向であってもよい。
【００１４】
画素４８は、第１副画素４９Ｒと、第２副画素４９Ｇと、第３副画素４９Ｂと、第４副画素４９Ｗとを有する。第１副画素４９Ｒは、第１色（例えば、赤色）を表示する。第２副画素４９Ｇは、第２色（例えば、緑色）を表示する。第３副画素４９Ｂは、第３色（例えば、青色）を表示する。第４副画素４９Ｗは、第４色（例えば、白色）を表示する。第１色、第２色、第３色及び第４色は、赤色、緑色、青色及び白色に限られず、補色などでもよく、互いに色が異なっていればよい。第４色を表示する第４副画素４９Ｗは、同じ光源点灯量で照射された場合、第１色を表示する第１副画素４９Ｒ、第２色を表示する第２副画素４９Ｇ、第３色を表示する第３副画素４９Ｂよりも輝度が高いことが好ましい。以下において、第１副画素４９Ｒと、第２副画素４９Ｇと、第３副画素４９Ｂと、第４副画素４９Ｗとをそれぞれ区別する必要がない場合、副画素４９という。また、副画素の配列する位置を区別して記載する場合、例えば画素４８（ｐ，ｑ）の第４副画素を、第４副画素４９Ｗ（ｐ，ｑ）と記載する。
【００１５】
画像表示パネル４０は、カラー液晶表示パネルであり、第１副画素４９Ｒと画像観察者との間に第１色を通過させる第１カラーフィルタが配置され、第２副画素４９Ｇと画像観察者との間に第２色を通過させる第２カラーフィルタが配置され、第３副画素４９Ｂと画像観察者との間に第３色を通過させる第３カラーフィルタが配置されている。また、画像表示パネル４０は、第４副画素４９Ｗと画像観察者との間にカラーフィルタが配置されていない。第４副画素４９Ｗには、カラーフィルタの代わりに透明な樹脂層が備えられていてもよい。このように画像表示パネル４０は、透明な樹脂層を設けることで、第４副画素４９Ｗにカラーフィルタを設けないことにより生じる第４副画素４９Ｗの大きな段差を抑制することができる。
【００１６】
（画像表示パネル駆動部の構成）
図１及び図２に示すように、画像表示パネル駆動部３０は、信号出力回路３１及び走査回路３２を有する。画像表示パネル駆動部３０は、信号出力回路３１によって映像信号を保持し、順次、画像表示パネル４０に出力する。より詳しくは、信号出力回路３１は、信号処理部２０からの出力信号に応じた所定の電位を有する画像出力信号を、画像表示パネル４０に出力する。信号出力回路３１は、信号線ＤＴＬによって画像表示パネル４０と電気的に接続されている。走査回路３２は、画像表示パネル４０における副画素４９の動作（光透過率）を制御するためのスイッチング素子（例えば、ＴＦＴ）のＯＮ／ＯＦＦを制御する。走査回路３２は、配線ＳＣＬによって画像表示パネル４０と電気的に接続されている。
【００１７】
（光源駆動部及び光源部の構成）
光源ユニット６０は、画像表示パネル４０の背面に配置され、画像表示パネル４０に向けて光を照射することで、画像表示パネル４０を照明する。図３は、本実施形態に係る光源ユニットの説明図である。光源ユニット６０は、導光板６１と、導光板６１の少なくとも一側面を入射面Ｅとして、この入射面Ｅに対向する位置に、複数の光源部６２Ａ、６２Ｂ、６２Ｃ、６２Ｄ、６２Ｅ及び６２Ｆと、を備えている。複数の光源部６２Ａ、６２Ｂ、６２Ｃ、６２Ｄ、６２Ｅ及び６２Ｆは、例えば、同色（例えば、白色）の発光ダイオード（ＬＥＤ：Light  Emitting  Diode）である。複数の光源部６２Ａ、６２Ｂ、６２Ｃ、６２Ｄ、６２Ｅ及び６２Ｆは、導光板６１の一側面に沿って並んでおり、光源部６２Ａ、６２Ｂ、６２Ｃ、６２Ｄ、６２Ｅ及び６２Ｆが並ぶ光源配列方向をＬＹとした場合、光源配列方向ＬＹに直交する入光方向ＬＸに向けて、入射面Ｅから導光板６１へ光源部６２Ａ、６２Ｂ、６２Ｃ、６２Ｄ、６２Ｅ及び６２Ｆの入射光が入光する。以下、光源部６２Ａ、６２Ｂ、６２Ｃ、６２Ｄ、６２Ｅ及び６２Ｆを区別しない場合は、光源部６２と記載する。図３における光源部６２の数及び配列は、一例であり、光源部６２の数は、複数であれば任意であり、配列も任意である。
【００１８】
光源駆動部５０は、光源ユニット６０が出力する光の光量等を制御する。具体的には、光源駆動部５０は、信号処理部２０から出力される面状光源装置制御信号ＳＢＬに基づいて光源ユニット６０に供給する電流又はデューティ比（ｄｕｔｙ比）を調整することで、画像表示パネル４０を照射する光の照射量（光の強度）を制御する。そして、光源駆動部５０は、図３に示す複数の光源部６２に対して個々に独立して電流又はデューティ比（ｄｕｔｙ比）を制御し、各光源部６２の照射する光の照射量（光の強度）を制御する、光源の分割駆動制御をすることができる。
【００１９】
導光板６１は、光源配列方向ＬＹに現れる両端面で光の反射が生じるため、光源配列方向ＬＹに現れる両端面に近い、光源部６２Ａ及び光源部６２Ｆが照射する光の強度分布と、光源部６２Ａ及び光源部６２Ｆの間に配置される、例えば光源部６２Ｃが照射する光の強度分布が異なっている。このため、本実施形態に係る光源駆動部５０は、図３に示す複数の光源部６２に対して個々に独立して電流又はデューティ比（ｄｕｔｙ比）を制御し、各光源部６２の光強度分布に応じて照射する光の光量（光の強度）を制御する必要がある。
【００２０】
光源ユニット６０は、光源部６２の入射光が光源配列方向ＬＹに直交する入光方向ＬＸに向けて照射され、入射面Ｅから導光板６１に入る。導光板６１に入射した光は、拡散しながら入光方向ＬＸに進む。導光板６１は、光源部６２から照射され入射した光を、画像表示パネル４０を背面から照明する照明方向ＬＺへ照射する。なお、画像表示パネル４０の背面とは、画像表示面４１と反対側の面である。本実施形態において、照明方向ＬＺは、光源配列方向ＬＹと、入光方向ＬＸとに直交する。
【００２１】
図４は、画像表示面を示す模式図である。本実施形態の表示装置１０は、画像表示パネル４０の画像表示面４１が、仮想的に複数の領域１２４に区分されている。領域１２４は、画像表示面４１に、入光方向ＬＸに沿って３行、光源配列方向ＬＹに沿って６列の、計１８個設けられている。ただし、領域１２４の数は、１８個に限られず任意に設定される。入光方向ＬＸに沿って配列した３つの領域１２４は、部分領域１２６を形成する。部分領域１２６は、光源配列方向ＬＹに沿って６つが配列している。図４の例では、部分領域１２６として、部分領域１２６Ａ、１２６Ｂ、１２６Ｃ、１２６Ｄ、１２６Ｅ、１２６Ｆが光源配列方向ＬＹに沿って配列している。部分領域１２６Ａは、光源部６２Ａに対応して設けられ、光源部６２Ａからの光が照射される。部分領域１２６Ｂ、１２６Ｃ、１２６Ｄ、１２６Ｅ、１２６Ｆも、同様にそれぞれ光源部６２Ｂ、６２Ｃ、６２Ｄ、６２Ｅ、６２Ｆに対応して設けられ、それぞれ光源部６２Ｂ、６２Ｃ、６２Ｄ、６２Ｅ、６２Ｆからの光が照射される。
【００２２】
このように、部分領域１２６は、画像表示面４１を領域分けした複数の領域であるということができる。部分領域１２６内には、複数の画素４８が配置されている。なお、部分領域１２６の数は、光源部６２の数と同じ数である。
【００２３】
（信号処理部の構成）
信号処理部２０は、画像の入力信号に基づいて画素４８を制御し、かつ、光源部６２の光の照射量を制御する。信号処理部２０は、制御装置１１から入力される入力信号を処理して出力信号を生成する。信号処理部２０は、赤色（第１色）、緑色（第２色）、青色（第３色）の色を組み合わせて表示させる入力信号の入力値を、赤色（第１色）、緑色（第２色）、青色（第３色）及び白色（第４色）で再現される拡大色空間（第１実施形態ではＨＳＶ色空間）の再現値（出力信号）に変換して生成する。そして、信号処理部２０は、生成した出力信号を画像表示パネル駆動部３０に出力する。拡大色空間については後述する。なお、第１実施形態において、拡大色空間はＨＳＶ色空間であるが、これに限られずＸＹＺ色空間、ＹＵＶ空間その他の座標系でもよい。また、信号処理部２０は、光源駆動部５０に出力する面状光源装置制御信号ＳＢＬも生成する。
【００２４】
図５は、第１実施形態に係る信号処理部の構成の概要を示すブロック図である。図５に示すように、信号処理部２０は、伸長係数算出部７０、出力信号生成部７２、光照射値算出部７４、輝度算出部７６、塊判定部７８、最大輝度値検出部８０、輝度ゲイン値決定部８２、及び光照射制御部８４を有する。伸長係数算出部７０は、入力信号を伸長するための係数である伸長係数αを算出する。出力信号生成部７２は、画素４８の出力信号を生成する。光照射値算出部７４、輝度算出部７６、塊判定部７８、最大輝度値検出部８０、輝度ゲイン値決定部８２、及び光照射制御部８４は、光源部６２の光の照射量、すなわち補正光照射値を算出する。信号処理部２０のこれらの各部は、互いに独立したもの（回路等）でもよく、互いに共通するものであってもよい。
【００２５】
伸長係数算出部７０は、制御装置１１から画像の入力信号を取得し、伸長係数αを画素４８毎に算出する。伸長係数算出部７０は、画像表示パネル４０中の全画素４８について、伸長係数αを算出する。伸長係数算出部７０は、画素４８毎に、入力信号に基づいて表示する色の彩度、及び明度を算出し、それらに基づき伸長係数αを算出する。伸長係数算出部７０による伸長係数αの算出方法については、後述する。
【００２６】
出力信号生成部７２は、伸長係数算出部７０から伸長係数αの情報を取得する。出力信号生成部７２は、伸長係数αの値及び入力信号に基づき、画素４８に所定の色を表示させるための出力信号を生成する。出力信号生成部７２は、生成した出力信号を、画像表示パネル駆動部３０に出力する。出力信号生成部７２による出力信号の生成処理は、後述する。
【００２７】
光照射値算出部７４は、各画素４８の伸長係数αに基づき、光照射値１／αを、光源部６２毎、すなわち部分領域１２６毎に算出する。光照射値１／αは、光源部６２が照射する光の照射量を示す値であるが、本実施形態では、この光照射値１／αを伸長した値を用いて、光源部６２に光を照射させる。第１実施形態における光照射値１／αは、値が大きくなるほど光源部６２の光源点灯量が大きくなり、値が小さくなるほど光源部６２の光源点灯量が小さくなる。
【００２８】
輝度算出部７６は、各画素４８の入力信号に基づき、各画素４８の輝度Ｌを算出する。輝度算出部７６は、画像表示パネル４０中の全画素４８について、輝度Ｌを算出する。輝度算出部７６による輝度Ｌの算出方法については、後述する。
【００２９】
塊判定部７８は、輝度Ｌに基づき塊検出を実行する。塊判定部７８は、画像表示面４１内の画素４８のうち、所定の輝度値の範囲内にある画素４８が連続して存在するかを判定する。塊判定部７８は、連続すると判定した画素４８の領域（画素群）を、塊であると判定する。塊判定部７８による塊検出のより詳細な方法については、後述する。
【００３０】
最大輝度値検出部８０は、１つの部分領域１２６における塊内の画素４８の輝度のうち、最大の輝度である最大輝度値を検出する。最大輝度値検出部８０は、最大輝度値を、部分領域１２６毎に検出する。
【００３１】
輝度ゲイン値決定部８２は、部分領域１２６毎に輝度ゲイン値を決定する。輝度ゲイン値は、光照射値を伸長して、画素に照射する光の照射量を大きくするためのゲイン値である。以下、光照射値に輝度ゲイン値を乗じた値を、補正光照射値とする。詳しくは後述するが、補正光照射値は、光源部６２が実際に照射する光の照射量の値である。
【００３２】
輝度ゲイン値決定部８２は、補正光照射値が、予め定められた上限照射値以下の値となるように、最大輝度値に基づき輝度ゲイン値を決定する。また、輝度ゲイン値決定部８２は、最大輝度値が高い部分領域１２６ほど、輝度ゲイン値を大きくする。
【００３３】
また、輝度ゲイン値決定部８２は、複数の部分領域１２６のそれぞれの補正光照射値が、個別上限照射値以下の値となるように、輝度ゲイン値を算出する。個別上限照射値とは、１つの光源部６２が照射可能な上限の光の照射量として予め定められた値である。言い換えれば、個別上限照射値は、１つの光源部６２が照射可能な光の照射量上限値であり、例えば電力をさらに上げても、光源部６２は、それ以上の照射量を実現できない。
【００３４】
また、輝度ゲイン値決定部８２は、全ての部分領域１２６の補正光照射値の合計値が、合計上限照射値以下の値となるように、輝度ゲイン値を算出する。合計上限照射値は、全ての光源部６２の照射量の合計の上限値として予め定められた値である。合計上限照射値は、各光源部６２の電力消費量の合計の上限値である。光源部６２の電力消費量は、光の照射量に比例するため、補正光照射値が大きいほど、電力消費量は大きくなる。従って、表示装置１０は、全ての部分領域１２６の補正光照射値の合計値が、合計上限照射値を超えた場合、その超えた分については光を照射するための電力が不足することとなり、その超えた分の光を照射することができなくなる場合がある。
【００３５】
合計上限照射値は、個別上限照射値に部分領域１２６の総数を乗じた値よりも小さくなっている。合計上限照射値は、すべての部分領域１２６の照射量が１００％(例えば２５５)であった場合の合計の照射量により定められ、補正光照射値の合計値は、これを超えないように設定される。なお、個別上限照射値は、部分領域１２６の照射量の１００％を超えた値となる。また、合計上限照射値は、すべての部分領域１２６の照射量が１００％(例えば２５５)であった場合の合計の照射量を、大幅に上回らない値であることが好ましい。具体的には、合計上限照射値は、すべての部分領域１２６の照射量が１００％(例えば２５５)であった場合の合計の照射量に対し、１．０倍以上１．２倍以下の値であることが好ましい。
【００３６】
図５に示すように、第１実施形態に係る輝度ゲイン値決定部８２は、全域最大輝度値算出部９０と、仮輝度ゲイン値算出部９２と、仮光照射値算出部９４と、補正仮輝度ゲイン値算出部９６と、補正仮光照射値算出部９８と、輝度ゲイン値算出部９９と、を有する。
【００３７】
全域最大輝度値算出部９０は、全ての部分領域１２６の最大輝度値のうち、最大の輝度である全域最大輝度値を検出する。以下、全域最大輝度値の画素４８が属する部分領域１２６を、最大部分領域１２６Ｍと記載する。
【００３８】
仮輝度ゲイン値算出部９２は、部分領域１２６毎に仮輝度ゲイン値を算出する。より詳しくは、仮輝度ゲイン値算出部９２は、最大部分領域１２６Ｍにおける仮輝度ゲイン値が予め定められた設定ゲイン値となるように、最大部分領域１２６Ｍにおける仮輝度ゲイン値を算出する。また、仮輝度ゲイン値算出部９２は、最大輝度値が小さい部分領域１２６ほど仮輝度ゲイン値が小さくなるように、部分領域１２６毎に仮輝度ゲイン値を算出する。
【００３９】
仮光照射値算出部９４は、仮光照射値を、部分領域１２６毎に算出する。仮光照射値は、仮輝度ゲイン値と光照射値とを乗じた値である。すなわち、仮光照射値は、光照射値を仮輝度ゲイン値で仮に伸長した値である。
【００４０】
補正仮輝度ゲイン値算出部９６は、補正仮輝度ゲイン値を、部分領域１２６毎に算出する。補正仮輝度ゲイン値は、仮輝度ゲイン値を補正した値である。補正仮輝度ゲイン値算出部９６は、補正仮輝度ゲイン値が、同じ部分領域１２６における仮輝度ゲイン値以下の値となるように、補正仮輝度ゲイン値を算出する。具体的には、補正仮輝度ゲイン値算出部９６は、補正仮輝度ゲイン値と光照射値とを乗じた値が個別上限照射値以下の値となるように、補正仮輝度ゲイン値を算出する。
【００４１】
補正仮光照射値算出部９８は、補正仮光照射値を、部分領域１２６毎に算出する。補正仮光照射値は、補正仮輝度ゲイン値と光照射値とを乗じた値である。すなわち、補正仮光照射値は、光照射値を補正仮輝度ゲイン値で仮に伸長した値である。
【００４２】
輝度ゲイン値算出部９９は、輝度ゲイン値を部分領域１２６毎に算出する。輝度ゲイン値は、補正仮輝度ゲイン値を補正した値である。輝度ゲイン値算出部９９は、輝度ゲイン値が、同じ部分領域１２６における補正仮輝度ゲイン値以下の値となるように、輝度ゲイン値を算出する。具体的には、輝度ゲイン値算出部９９は、輝度ゲイン値と光照射値とを乗じた値の部分領域１２６毎の合計値が、合計上限照射値以下の値となるように、輝度ゲイン値を算出する。
【００４３】
光照射制御部８４は、補正光照射値に基づき、複数の光源部６２に光を照射させる。補正光照射値は、光照射値と輝度ゲイン値とを乗じて算出される値である。光照射制御部８４は、光照射値算出部７４から、部分領域１２６毎の光照射値を取得する。そして、光照射制御部８４は、輝度ゲイン値決定部８２（輝度ゲイン値算出部９９）から、輝度ゲイン値を取得する。光照射制御部８４は、部分領域１２６毎に、その部分領域１２６に対応する光照射値と輝度ゲイン値とを乗じて、補正光照射値を算出する。光照射制御部８４は、補正光照射値に基づき面状光源装置制御信号ＳＢＬを生成し、光源駆動部５０に出力する。面状光源装置制御信号ＳＢＬは、各光源部６２に、それぞれの補正光照射値で光を照射させるための信号であるということができる。以上説明した補正光照射値の算出処理の詳細は、後述する。
【００４４】
（出力信号の生成処理）
次に、信号処理部２０による画素４８の出力信号の生成処理について説明する。以下、第（ｐ、ｑ）番目の画素４８（ｐ，ｑ）における第１副画素４９Ｒへの入力信号値を、入力信号値ｘ１−（ｐ、ｑ）とし、画素４８（ｐ，ｑ）の第２副画素４９Ｇへの入力信号値を、入力信号値ｘ２−（ｐ、ｑ）とし、画素４８（ｐ，ｑ）の第３副画素４９Ｂへの入力信号値を、入力信号値ｘ３−（ｐ、ｑ）とする。出力信号生成部７２は、入力信号値ｘ１−（ｐ、ｑ）、入力信号値ｘ２−（ｐ、ｑ）及び入力信号値ｘ３−（ｐ、ｑ）に伸長処理を実行することにより、第１副画素４９Ｒ（ｐ，ｑ）の表示階調を決定するための第１副画素の画素信号値Ｘ１−（ｐ、ｑ）、第２副画素４９Ｇ（ｐ，ｑ）の表示階調を決定するための第２副画素の画素信号値Ｘ２−（ｐ、ｑ）、第３副画素４９Ｂ（ｐ，ｑ）の表示階調を決定するための第３副画素の画素信号値Ｘ３−（ｐ、ｑ）、及び、第４副画素４９Ｗ（ｐ，ｑ）の表示階調を決定するための第４副画素の画素信号値Ｘ４−（ｐ、ｑ）を生成する。
【００４５】
図６は、第１実施形態の表示装置で再現可能な再現ＨＳＶ色空間の概念図である。図７は、再現ＨＳＶ色空間の色相と彩度との関係を示す概念図である。表示装置１０は、画素４８に第４色（白色）を出力する第４副画素４９Ｗを備えることで、図６に示すように、再現される色空間（第１実施形態では、ＨＳＶ色空間）における明度のダイナミックレンジが広げられている。つまり、図６に示すように、表示装置１０が再現する拡大色空間は、第１副画素４９Ｒ、第２副画素４９Ｇ及び第３副画素４９Ｂで表示できる円柱形状の色空間の上に、彩度が高くなるほど明度の最大値が低くなる、彩度軸と明度軸とを含む断面における形状が、斜辺が曲線となる略台形形状となる立体が載っている形状となる。第４色（白色）を加えることで拡大された拡大色空間（第１実施形態では、ＨＳＶ色空間）における彩度Ｓを変数とした明度の最大値Ｖmax（Ｓ）が、信号処理部２０に記憶されている。つまり、信号処理部２０は、図６に示す拡大色空間の立体形状について、彩度と色相の座標（値）毎に明度の最大値Ｖmax（Ｓ）の値を記憶している。ここで、入力信号は、第１副画素４９Ｒ、第２副画素４９Ｇ及び第３副画素４９Ｂの入力信号で構成されているため、入力信号の色空間は、円柱形状、つまり、拡大色空間の円柱形状部分と同じ形状となる。なお、第１実施形態において、拡大色空間はＨＳＶ色空間であるが、これに限られずＸＹＺ色空間、ＹＵＶ空間その他の座標系でもよい。
【００４６】
最初に、伸長係数算出部７０は、各画素４８の入力信号値（入力信号値ｘ１−（ｐ、ｑ）、入力信号値ｘ２−（ｐ、ｑ）及び入力信号値ｘ３−（ｐ、ｑ））に基づき、各画素４８における彩度Ｓ及び明度Ｖ（Ｓ）を求め、各画素４８について、それぞれ伸長係数αを算出する。伸長係数αは、画素４８毎に設定される。なお、色相Ｈは、図７に示すように０°から３６０°で表される。０°から３６０°に向かって、赤（Ｒｅｄ）、黄色（Ｙｅｌｌｏｗ）、緑（Ｇｒｅｅｎ）、シアン（Ｃｙａｎ）、青（Ｂｌｕｅ）、マゼンタ（Ｍａｇｅｎｔａ）、赤となる。
【００４７】
一般に、第（ｐ，ｑ）番目の画素において、円柱のＨＳＶ色空間における入力色の彩度（Saturation）Ｓ（ｐ，ｑ）、明度（Value）Ｖ（Ｓ）（ｐ，ｑ）は、第１副画素の入力信号（信号値ｘ１−（ｐ，ｑ））、第２副画素の入力信号（信号値ｘ２−（ｐ，ｑ））及び第３副画素の入力信号（信号値ｘ３−（ｐ，ｑ））に基づき、次の式（１）及び式（２）より求めることができる。
【００４８】
Ｓ（ｐ，ｑ）＝（Ｍａｘ（ｐ，ｑ）−Ｍｉｎ（ｐ，ｑ））／Ｍａｘ（ｐ，ｑ）・・・（１）
Ｖ（Ｓ）（ｐ，ｑ）＝Ｍａｘ（ｐ，ｑ）・・・（２）
【００４９】
ここで、Ｍａｘ（ｐ，ｑ）は、（ｘ１−（ｐ，ｑ）、ｘ２−（ｐ，ｑ）、ｘ３−（ｐ，ｑ））の３個の副画素４９の入力信号値の最大値であり、Ｍｉｎ（ｐ，ｑ）は、（ｘ１−（ｐ，ｑ）、ｘ２−（ｐ，ｑ）、ｘ３−（ｐ，ｑ））の３個の副画素４９の入力信号値の最小値である。第１実施形態ではｎ＝８とした。すなわち、表示階調ビット数を８ビット（表示階調の値を０から２５５の２５６階調）とした。
【００５０】
伸長係数算出部７０は、各画素４８の明度Ｖ（Ｓ）（ｐ，ｑ）及び拡大色空間のＶｍａｘ（Ｓ）に基づき、次の式（３）により伸長係数αを算出する。伸長係数αは、画素４８毎に異なる値をとる場合がある。
【００５１】
α＝Ｖｍａｘ（Ｓ）／Ｖ（Ｓ）（ｐ，ｑ）・・・（３）
【００５２】
次に、出力信号生成部７２は、第４副画素の画素信号値Ｘ４−（ｐ，ｑ）を、少なくとも第１副画素の入力信号（信号値ｘ１−（ｐ，ｑ））、第２副画素の入力信号（信号値ｘ２−（ｐ，ｑ））及び第３副画素の入力信号（信号値ｘ３−（ｐ，ｑ））に基づいて算出する。より詳しくは、出力信号生成部７２は、Ｍｉｎ（ｐ，ｑ）と自身の画素４８（ｐ，ｑ）の伸長係数αとの積に基づき第４副画素の画素信号値Ｘ４−（ｐ，ｑ）を求める。具体的には、出力信号生成部７２は、下記の式（４）に基づいて画素信号値Ｘ４−（ｐ，ｑ）を求めることができる。式（４）では、Ｍｉｎ（ｐ，ｑ）と伸長係数αとの積をχで除しているが、これに限定するものではない。
【００５３】
Ｘ４−（ｐ，ｑ）＝Ｍｉｎ（ｐ，ｑ）・α／χ・・・（４）
【００５４】
ここで、χは表示装置１０に依存した定数である。白色を表示する第４副画素４９Ｗには、カラーフィルタが配置されていない。第４色を表示する第４副画素４９Ｗは、同じ光源点灯量で照射された場合、第１色を表示する第１副画素４９Ｒ、第２色を表示する第２副画素４９Ｇ、第３色を表示する第３副画素４９Ｂよりも明るい。第１副画素４９Ｒに第１副画素４９Ｒの画素信号値の最大信号値に相当する値を有する信号が入力され、第２副画素４９Ｇに第２副画素４９Ｇの画素信号値の最大信号値に相当する値を有する信号が入力され、第３副画素４９Ｂに第３副画素４９Ｂの画素信号値の最大信号値に相当する値を有する信号が入力されたときの、画素４８又は画素４８の群が備える第１副画素４９Ｒ、第２副画素４９Ｇ及び第３副画素４９Ｂの集合体の輝度をＢＮ１−３とする。また、画素４８又は画素４８の群が備える第４副画素４９Ｗに、第４副画素４９Ｗの画素信号値の最大信号値に相当する値を有する信号が入力されたときの第４副画素４９Ｗの輝度をＢＮ４としたときを想定する。すなわち、第１副画素４９Ｒ、第２副画素４９Ｇ及び第３副画素４９Ｂの集合体によって最大輝度の白色が表示され、この白色の輝度がＢＮ１−３で表される。すると、χを表示装置１０に依存した定数としたとき、定数χは、χ＝ＢＮ４／ＢＮ１−３で表される。
【００５５】
具体的には、第１副画素４９Ｒ、第２副画素４９Ｇ及び第３副画素４９Ｂの集合体に、次の表示階調の値を有する入力信号値として、入力信号値ｘ１−（ｐ，ｑ）＝２５５、入力信号値ｘ２−（ｐ，ｑ）＝２５５、入力信号値ｘ３−（ｐ，ｑ）＝２５５が入力されたときにおける白色の輝度ＢＮ１−３に対して、第４副画素４９Ｗに表示階調の値２５５を有する入力信号が入力されたと仮定したときの輝度ＢＮ４は、例えば、１．５倍である。すなわち、第１実施形態にあっては、χ＝１．５である。
【００５６】
次に、出力信号生成部７２は、少なくとも第１副画素の入力信号値ｘ１−（ｐ，ｑ）及び自身の画素４８（ｐ，ｑ）の伸長係数αに基づいて、第１副画素の画素信号値Ｘ１−（ｐ，ｑ）を算出し、少なくとも第２副画素の入力信号値ｘ２−（ｐ，ｑ）及び自身の画素４８（ｐ，ｑ）の伸長係数αに基づいて第２副画素の画素信号値Ｘ２−（ｐ，ｑ）を算出し、少なくとも第３副画素の入力信号値ｘ３−（ｐ，ｑ）及び自身の画素４８（ｐ，ｑ）の伸長係数αに基づいて第３副画素の画素信号値Ｘ３−（ｐ，ｑ）を算出する。
【００５７】
具体的には、出力信号生成部７２は、第１副画素の入力信号値、伸長係数α及び第４副画素の画素信号値に基づいて第１副画素の画素信号値を算出し、第２副画素の入力信号値、伸長係数α及び第４副画素の画素信号値に基づいて第２副画素の画素信号値を算出し、第３副画素の入力信号値、伸長係数α及び第４副画素の画素信号値に基づいて第３副画素の画素信号値を算出する。
【００５８】
つまり出力信号生成部７２は、χを表示装置に依存した定数としたとき、第（ｐ，ｑ）番目の画素（あるいは、第１副画素４９Ｒ、第２副画素４９Ｇ及び第３副画素４９Ｂの組）への第１副画素の画素信号値Ｘ１−（ｐ，ｑ）、第２副画素の画素信号値Ｘ２−（ｐ，ｑ）及び第３副画素の画素信号値Ｘ３−（ｐ，ｑ）を、以下の式（５），（６），（７）から求める。
【００５９】
Ｘ１−（ｐ，ｑ）＝α・ｘ１−（ｐ，ｑ）−χ・Ｘ４−（ｐ，ｑ）・・・（５）
Ｘ２−（ｐ，ｑ）＝α・ｘ２−（ｐ，ｑ）−χ・Ｘ４−（ｐ，ｑ）・・・（６）
Ｘ３−（ｐ，ｑ）＝α・ｘ３−（ｐ，ｑ）−χ・Ｘ４−（ｐ，ｑ）・・・（７）
【００６０】
次に、信号値Ｘ１−（ｐ，ｑ）、Ｘ２−（ｐ，ｑ）、Ｘ３−（ｐ，ｑ）、Ｘ４−（ｐ，ｑ）の求め方（伸張処理）のまとめを説明する。次の処理は、（第１副画素４９Ｒ＋第４副画素４９Ｗ）によって表示される第１原色の輝度、（第２副画素４９Ｇ＋第４副画素４９Ｗ）によって表示される第２原色の輝度、（第３副画素４９Ｂ＋第４副画素４９Ｗ）によって表示される第３原色の輝度の比を保つように行われる。しかも、色調を保持（維持）するように行われる。さらには、階調−輝度特性（ガンマ特性、γ特性）を保持（維持）するように行われる。また、いずれかの画素４８又は画素４８の群において、入力信号値のすべてがゼロである場合又は小さい場合、このような画素４８又は画素４８の群を含めることなく、伸長係数αを求めればよい。
【００６１】
（第１工程）
まず、伸長係数算出部７０は、各画素４８の入力信号値（入力信号値ｘ１−（ｐ、ｑ）、入力信号値ｘ２−（ｐ、ｑ）及び入力信号値ｘ３−（ｐ、ｑ））に基づき、各画素４８の彩度Ｓ及び明度Ｖ（Ｓ）を求め、画素４８毎に伸長係数αを算出する。
【００６２】
（第２工程）
次に、出力信号生成部７２は、第（ｐ，ｑ）番目の画素４８における画素信号値Ｘ４−（ｐ，ｑ）を、少なくとも、入力信号値ｘ１−（ｐ，ｑ）、入力信号値ｘ２−（ｐ，ｑ）及び入力信号値ｘ３−（ｐ，ｑ）に基づいて求める。第１実施形態にあっては、出力信号生成部７２は、画素信号値Ｘ４−（ｐ，ｑ）を、Ｍｉｎ（ｐ，ｑ）、自身の画素４８（ｐ，ｑ）の伸長係数α及び定数χに基づいて決定する。より具体的には、出力信号生成部７２は、上述したとおり、画素信号値Ｘ４−（ｐ，ｑ）を、上記の式（４）に基づいて求める。
【００６３】
（第３工程）
その後、出力信号生成部７２は、第（ｐ，ｑ）番目の画素４８における画素信号値Ｘ１−（ｐ，ｑ）を、入力信号値ｘ１−（ｐ，ｑ）、自身の画素４８（ｐ，ｑ）の伸長係数α及び画素信号値Ｘ４−（ｐ，ｑ）に基づき求め、第（ｐ，ｑ）番目の画素４８における画素信号値Ｘ２−（ｐ，ｑ）を、入力信号値ｘ２−（ｐ，ｑ）、自身の画素４８（ｐ，ｑ）の伸長係数α及び画素信号値Ｘ４−（ｐ，ｑ）に基づき求め、第（ｐ，ｑ）番目の画素４８における画素信号値Ｘ３−（ｐ，ｑ）を、入力信号値ｘ３−（ｐ，ｑ）、自身の画素４８（ｐ，ｑ）の伸長係数α及び画素信号値Ｘ４−（ｐ，ｑ）に基づき求める。具体的には、出力信号生成部７２は、第（ｐ，ｑ）番目の画素４８における画素信号値Ｘ１−（ｐ，ｑ）、画素信号値Ｘ２−（ｐ，ｑ）及び画素信号値Ｘ３−（ｐ，ｑ）を、上記の式（５）から（７）に基づいて求める。
【００６４】
出力信号生成部７２は、以上の工程で出力信号を生成し、生成した出力信号を画像表示パネル駆動部３０に出力する。なお、以上説明したように、本実施形態においては、画素４８が４つの副画素４９を有し、３色の入力信号を４色の出力信号に変換している。しかし、表示装置１０は、画素４８が、例えば第４副画素４９Ｗを除く３つの副画素４９Ｒ、４９Ｇ、４９Ｂのみを有していてもよく、３色の入力信号をそのまま３色の出力信号とするものであってもよい。
【００６５】
（補正光照射値の算出処理）
（光照射値の算出）
次に、補正光照射値を算出し、光源部６２の光の照射量を制御する処理について説明する。最初に、光照射値算出部７４は、伸長係数算出部７０から各画素４８の伸長係数αの情報を取得する。光照射値算出部７４は、各画素４８の伸長係数αに基づき、画素４８毎に光照射値１／α０を算出する。光照射値算出部７４は、画像表示パネル４０中の全画素４８について、光照射値１／α０を算出する。ある画素４８の光照射値１／α０の値は、その画素４８における伸長係数αの逆数となる。光照射値算出部７４は、画素４８毎の光照射値１／α０に基づき、光源部６２毎、すなわち部分領域１２６毎に、光照射値１／αを算出する。具体的には、光照射値算出部７４は、部分領域１２６内の画素４８のうち、光照射値１／α０が最大の画素４８の光照射値１／α０を、その部分領域１２６における光照射値１／αとする。言い換えれば、光照射値算出部７４は、光源部６２が光を照射する部分領域１２６内の画素４８のうち、光照射値１／α０が最大の画素４８の光照射値１／α０を、その光源部６２の光照射値１／αとする。
【００６６】
輝度算出部７６は、各画素４８の入力信号に基づき、各画素４８の輝度Ｌを算出する。輝度算出部７６は、画像表示パネル４０中の全画素４８について、輝度Ｌを算出する。具体的には、輝度算出部７６は、次の式（８Ａ）に基づいて、画素４８の輝度Ｌを算出する。
【００６７】
Ｌ＝０．２９９・ｘ１−（ｐ，ｑ）＋０．５８７・ｘ２−（ｐ，ｑ）＋０．１１４・ｘ３−（ｐ，ｑ）  ・・・（８Ａ）
【００６８】
ただし、式（８Ａ）は一例であり、輝度算出部７６は、第１副画素４９Ｒへの入力信号値ｘ１−（ｐ、ｑ）、第２副画素４９Ｇへの入力信号値ｘ２−（ｐ、ｑ）、及び第３副画素４９Ｂへの入力信号値ｘ３−（ｐ、ｑ）に基づくものならば、他の方法で輝度Ｌを算出してもよい。例えば、輝度算出部７６は、次の式（８Ｂ）に基づき輝度Ｌを算出してもよい。
【００６９】
Ｌ＝０．２１２６・ｘ１−（ｐ，ｑ）＋０．７１５２・ｘ２−（ｐ，ｑ）＋０．０７２２・ｘ３−（ｐ，ｑ）  ・・・（８Ｂ）
【００７０】
（塊検出）
輝度Ｌが算出されたら、塊判定部７８は、塊検出を行う。最初に、塊判定部７８は、連続判定を行う。塊判定部７８は、画像表示面４１内の画素４８のうちから、連続判定を開始する起点となる起点画素４８ｓを選択し、画像表示面４１内の全ての画素４８のうちから抽出したサンプリング点の画素４８に対して、連続判定を行う。塊判定部７８は、起点画素４８ｓから判定方向Ｚ側のサンプリング点の各画素４８に対して、判定方向Ｚに沿って順番に連続判定を行う。塊判定部７８は、連続判定において連続すると判定した画素４８の領域を、塊であると判定（塊検出）する。塊判定部７８は、領域１２４の境界を超えて塊検出を行ってもよい。すなわち、塊判定部７８は、異なる領域１２４に属する画素４８同士を、連続判定において連続すると判定してもよい。この場合、塊は、異なる領域１２４にまたがって存在することになる。
【００７１】
ここで、判定方向Ｚは、水平方向（Ｘ方向）及び垂直方向（Ｙ方向）であり、塊判定部７８は、水平方向及び垂直方向のそれぞれの方向で連続判定を行う。ただし、塊判定部７８は、水平方向と垂直方向のいずれかのみの方向で連続判定を行ってもよく、水平方向又は垂直方向から傾斜した方向を判定方向Ｚとして連続判定してもよい。なお、水平方向は、画像を画像表示パネル４０に書き込む際の書き込み位置が移動する方向である。つまり、データの処理時に信号が処理される画素の移動方向が水平方向となる。垂直方向は、上述のように水平方向に直交する方向である。また、塊判定部７８は、サンプリング点の画素について解析を行うことで、サンプリング点をとらずに全ての画素４８を解析するよりも、演算処理を低減することができる。また、サンプリング点は、所定の画素間隔で設けることが好ましい。また、サンプリング点は、水平方向、垂直方向にずれていてもよいし、重なる位置でもよい。ただし、塊判定部７８は、サンプリング点をとらずに、全ての画素４８に対して連続判定を行ってもよい。
【００７２】
以下、水平方向を例にして、連続判定の処理フローを説明する。図８Ａは、水平方向における連続判定の処理フローを説明するフローチャートである。図８Ａに示すように、塊判定部７８は、起点画素４８ｓの輝度Ｌを抽出し（ステップＳ１２）、起点画素４８ｓの輝度Ｌが、所定の輝度範囲内にあるかを判定する（ステップＳ１４）。ここで、画素４８が取り得る輝度の数値範囲は、輝度下限値と輝度上限値との間の値である。輝度下限値は、各副画素４９の入力信号値が最小である場合の輝度であり、本実施形態では、値が０である。輝度上限値は、各副画素の入力信号値が最大である場合の輝度であり、本実施形態では、値が２５５である。従って、本実施形態において画素４８が取り得る輝度の数値範囲は、０から２５５である。所定の輝度範囲は、予め決められた所定の輝度の数値範囲であり、画素４８が取り得る輝度の数値範囲のうちの一部の数値範囲である。
【００７３】
本実施形態では、輝度Ｌが閾値より低い場合、その輝度Ｌが所定の輝度範囲外であると判断する。すなわち、所定の輝度範囲は、閾値以上の輝度の数値範囲である。この閾値は、単色輝度上限値Ｌｓ１以上であり、２色輝度上限値Ｌｓ２以下であることが好ましい。単色輝度上限値Ｌｓ１とは、３色の副画素４９（第１副画素４９Ｒ、第２副画素４９Ｇ、及び第３副画素４９Ｂ）のうち、単色の副画素４９（第１副画素４９Ｒ、第２副画素４９Ｇ、及び第３副画素４９Ｂのうちいずれか１つ）で表現可能な輝度の上限値である。また、２色輝度上限値Ｌｓ２は、３色の副画素４９のうち、２色の副画素４９（第１副画素４９Ｒ、第２副画素４９Ｇ、及び第３副画素４９Ｂのうちいずれか２つ）で表現可能な輝度の上限値である。例えば、式（８Ａ）では、単色輝度上限値Ｌｓ１が「０．５８７×２５５」となり、２色輝度上限値Ｌｓ２が「０．８８６×２５５」となる。なお、２色輝度上限値Ｌｓ２の０．８８６は、０．５８７に０．２９９を加えた値である。
【００７４】
塊判定部７８は、起点画素４８ｓの輝度Ｌが所定の輝度範囲内でない場合（ステップＳ１４；Ｎｏ）、ステップＳ２４に進む。
【００７５】
塊判定部７８は、起点画素４８ｓの輝度Ｌが所定の輝度範囲内にある（ステップＳ１４；Ｙｅｓ）と判定した場合、起点画素４８ｓの輝度Ｌが属する区分輝度範囲を判定する（ステップＳ１５）。塊判定部７８は、所定の輝度範囲を、複数の区分輝度範囲（階級）に区分している。塊判定部７８は、起点画素４８ｓの輝度Ｌが、この複数の区分輝度範囲のうちいずれの範囲内にあるかを判定する。
【００７６】
図８Ｂは、輝度範囲の一例を示す表である。図８Ｂの例では、塊判定部７８は、区分輝度範囲Ａ〜Ｅを記憶している。図８Ｂの例では、区分輝度範囲Ａは、輝度が２３６〜２５５であり、区分輝度範囲Ｂは、輝度が２１６〜２３５であり、区分輝度範囲Ｃは、輝度が１９６〜２１５であり、区分輝度範囲Ｄは、輝度が１７６〜１９５であり、区分輝度範囲Ｅは、輝度が１５６〜１７５である。塊判定部７８は、起点画素４８ｓの輝度Ｌと各区分輝度範囲とを比較し、起点画素４８ｓの輝度Ｌがいずれかの区分輝度範囲内にあるかを判定する。例えば輝度Ｌが２４８である場合、塊判定部７８は、区分輝度範囲Ａに属していると判定する。この例では区分輝度範囲Ｅの下限値が１５６であったが、実際は、上述した閾値がこの下限値に相当する。
【００７７】
塊判定部７８は、区分輝度範囲を判定した後、起点画素４８ｓの水平方向に隣接するサンプリング点の輝度Ｌを抽出して（ステップＳ１６）、サンプリング点の画素４８が起点画素４８ｓと連続しているかを判定する（ステップＳ１８）。塊判定部７８は、サンプリング点の画素４８の輝度Ｌが、所定の輝度範囲内である場合に、画素が連続していると判断する。より詳しくは、本実施形態では、塊判定部７８は、サンプリング点の画素４８の輝度Ｌが、起点画素４８ｓと同じ区分輝度範囲（上記例では区分輝度範囲Ａ）内にある場合、画素が連続していると判断する。
【００７８】
塊判定部７８は、画素が連続していない（ステップＳ１８；Ｎｏ）と判定した場合、サンプリングのフラグを保持し、連続検出信号をリセットし（ステップＳ２０）、ステップＳ２４に進む。連続検出信号は、サンプリング点が連続している間ＯＮとなる信号である。塊判定部７８は、画素が連続している（ステップＳ１８；Ｙｅｓ）と判定した場合、起点画素４８ｓ及びサンプリング点の画素４８の輝度Ｌと、そのフラグとを保持し（ステップＳ２２）、ステップＳ２４に進む。
【００７９】
塊判定部７８は、サンプリング点の判定を行ったら、水平方向の領域の境界に到達しているかを判定する（ステップＳ２４）。塊判定部７８は、水平方向の領域の境界に到達していない（ステップＳ２４でＮｏ）と判定した場合、ステップＳ１２に戻り、次のサンプリング点について、上述と同様の処理を行う。塊判定部７８は、このように、水平方向の領域の境界に到達するまで処理を繰り返す。塊判定部７８は、水平方向の領域の境界に到達している（ステップＳ２４でＹｅｓ）と判定した場合、画像の境界、つまり画像表示パネルの画素の端まで到達したかを判定する（ステップＳ２６）。
【００８０】
塊判定部７８は、画像の境界に到達していない（ステップＳ２６でＮｏ）と判定した場合、輝度Ｌとフラグを持ち越し（ステップＳ２８）、ステップＳ２２に戻る。塊判定部７８は、画像の境界に到達している（ステップＳ２６でＹｅｓ）と判定した場合、水平方向の連続判定処理を終了するか、つまり、画像の全面のサンプリング点について連続判定を行ったかを判定する（ステップＳ３０）。
【００８１】
塊判定部７８は、水平方向の連続判定を終了していない（ステップＳ３０でＮｏ）と判定した場合、次のラインに移動し、連続検出信号とフラグをリセットし（ステップＳ３２）、ステップＳ１２に戻る。塊判定部７８は、水平方向の連続判定を終了した（ステップＳ３０でＹｅｓ）と判定した場合、本処理を終了する。
【００８２】
以上が、水平方向における連続判定の処理フローである。垂直方向における連続判定も、同様に行われるため、説明を省略するが、水平方向において図８Ａと同様のステップで連続判定を行う。塊判定部７８は、以上説明したように連続判定を行い、連続していると判定した画素４８同士を、塊であると判定する。そして、塊判定部７８は、塊内の画素４８の輝度Ｌのうち、最大の輝度Ｌを、塊の輝度Ｌａとする。図８Ｃは、塊の判定動作を説明するための説明図である。図８Ｃに示す画素４８Ａは、輝度Ｌが所定の輝度範囲内にあり、かつ、それぞれ同一の区分輝度範囲に属している画素である。また、画素４８Ｂは、輝度が所定の輝度範囲外にある、又は画素４８Ａと異なる区分輝度範囲に属している画素である。また、図８Ｃの各画素４８Ａ、４８Ｂにおいて斜線が付されている画素は、サンプリング点の画素である。図８Ｃに示すように、部分領域１２６Ｓ１、１２６Ｓ２においては、サンプリング点の画素が水平方向に連続している（同一の区分輝度範囲に属している）ため、この連続している画素群を、塊として判定する。しかし、部分領域１２６Ｓ３においては、サンプリング点の画素が水平方向に連続していないため、塊があると判定されない。同様に、部分領域１２６Ｓ４、１２６Ｓ５においては、サンプリング点の画素が垂直方向に連続している（同一の区分輝度範囲に属している）ため、この連続している画素群を、塊として判定する。しかし、部分領域１２６Ｓ６においては、サンプリング点の画素が垂直方向に連続していないため、塊があると判定されない。
【００８３】
画像表示面４１内の全体における塊検出が終了したら、最大輝度値検出部８０は、１つの部分領域１２６内の塊から、輝度Ｌａが最大となる塊を検出する。最大輝度値検出部８０は、その検出した塊の輝度Ｌａを、最大輝度値Ｌｍａｘ１として検出する。最大輝度値検出部８０は、最大輝度値Ｌｍａｘ１を、部分領域１２６毎に検出する。
【００８４】
図９は、最大輝度値の一例を説明する図である。図９は、画像表示面４１内における最大輝度値Ｌｍａｘ１を説明した模式図である。図９では、部分領域１２６Ａでは、各領域１２４内の塊の輝度Ｌａが、それぞれ０となっていることを示している。すなわち、部分領域１２６Ａでは、塊が検出されていない。また、部分領域１２６Ａにおける光照射値は、１００となっている。部分領域１２６Ｂでは、光照射値が１２０であり、各領域１２４内の塊の輝度Ｌａが、それぞれ０となっている。また、部分領域１２６Ｃでは、光照射値が１２０であり、各領域１２４内の塊の輝度Ｌａが、それぞれ２３０、１６４、１６４となっている。部分領域１２６Ｄでは、光照射値が１８０であり、各領域１２４内の塊の輝度Ｌａが、それぞれ１９６、０、０となっている。部分領域１２６Ｅでは、光照射値が１８０であり、各領域１２４内の塊の輝度Ｌａが、それぞれ０、１７３、０となっている。部分領域１２６Ｆでは、光照射値が２５５であり、各領域１２４内の塊の輝度Ｌａが、それぞれ１７５、２４８、２３１となっている。
【００８５】
従って、図９の例において、最大輝度値検出部８０は、部分領域１２６Ｃの最大輝度値Ｌｍａｘ１を２３０とし、部分領域１２６Ｄの最大輝度値Ｌｍａｘ１を１９６とし、部分領域１２６Ｅの最大輝度値Ｌｍａｘ１を１７３とし、部分領域１２６Ｆの最大輝度値Ｌｍａｘ１を２４８とする。
【００８６】
（輝度ゲイン値算出処理）
次に、輝度ゲイン値決定部８２による輝度ゲイン値の算出処理について説明する。最大輝度値Ｌｍａｘ１が算出された後、輝度ゲイン値決定部８２は、全域最大輝度値算出部９０により、全ての部分領域１２６の最大輝度値Ｌｍａｘ１のうち、最大の輝度である全域最大輝度値Ｌｍａｘ２を検出する。すなわち、全域最大輝度値算出部９０は、最大部分領域１２６Ｍにおける最大輝度値Ｌｍａｘ１を、全域最大輝度値Ｌｍａｘ２として検出する。図９の例では、最大部分領域１２６Ｍが部分領域１２６Ｆであり、全域最大輝度値Ｌｍａｘ２が２４８となる。
【００８７】
全域最大輝度値Ｌｍａｘ２を検出した後、仮輝度ゲイン値算出部９２は、部分領域１２６毎に仮輝度ゲイン値Ｇ１を算出する。最初に、仮輝度ゲイン値算出部９２は、最大部分領域１２６Ｍにおける仮輝度ゲイン値Ｇ１が設定ゲイン値となるように、最大部分領域１２６Ｍにおける仮輝度ゲイン値Ｇ１を算出する。設定ゲイン値は、予め定められた設定突き上げ値Ｐに、１．０を足した値である。設定突き上げ値Ｐは、予め設定された値であり、０より大きく１．０以下であることが好ましい。この場合、設定ゲイン値は、１．０より大きく２．０以下となる。以下の例では、設定突き上げ値Ｐを０．５とし、設定ゲイン値を１．５として説明する。
【００８８】
そして、仮輝度ゲイン値算出部９２は、最大輝度値Ｌｍａｘ１が小さい部分領域１２６ほど仮輝度ゲイン値Ｇ１が小さくなるように、部分領域１２６毎に仮輝度ゲイン値Ｇ１を算出する。すなわち、最大部分領域１２６Ｍにおける仮輝度ゲイン値Ｇ１は、最大の値である設定ゲイン値となり、他の部分領域１２６の仮輝度ゲイン値Ｇ１は、最大輝度値Ｌｍａｘ１が小さいほど値が小さくなる。従って、全ての部分領域１２６における仮輝度ゲイン値Ｇ１は、設定ゲイン値以下の値となる。具体的には、仮輝度ゲイン値算出部９２は、次の式（９）に基づき、仮輝度ゲイン値Ｇ１を算出する。
【００８９】
Ｇ１＝１．０＋Ｐ・Ｌｍａｘ１／Ｌｍａｘ２  ・・・（９）
【００９０】
すなわち、仮輝度ゲイン値算出部９２は、部分領域１２６毎に、全域最大輝度値Ｌｍａｘ２に対する最大輝度値Ｌｍａｘ１の比率を算出する。仮輝度ゲイン値算出部９２は、この比率と設定突き上げ値Ｐに基づき、仮輝度ゲイン値Ｇ１を算出する。より詳しくは、仮輝度ゲイン値算出部９２は、この比率と設定突き上げ値Ｐを乗じた突き上げ項に、１．０を足して、仮輝度ゲイン値Ｇ１を算出する。突き上げ項は、仮輝度ゲイン値を光照射値に乗じて光照射値を伸長したと仮定した場合に、伸長した量に寄与する項である。
【００９１】
図１０は、仮輝度ゲイン値の一例を説明するグラフである。図１０の横軸は、最大輝度値であり、縦軸は、仮輝度ゲイン値である。図１０の線分Ｌ１は、式（９）に従って仮輝度ゲイン値を算出した場合を示している。線分Ｌ１に示すように、最大輝度値Ｌｍａｘ１が２４８、すなわち最大部分領域１２６Ｍにおける仮輝度ゲイン値Ｇ１は、設定ゲイン値と同じ値の１．５となっている。また、最大輝度値Ｌｍａｘ１が０の部分領域１２６においては、仮輝度ゲイン値Ｇ１が１となり、光照射値を伸長しないものとなっている。
【００９２】
ただし、仮輝度ゲイン値Ｇ１は、式（９）や線分Ｌ１に示すように、最大輝度値Ｌｍａｘ１の変化に比例して線形に変化することに限られず、例えば線分Ｌ２に示すように、最大輝度値Ｌｍａｘ１の変化に伴い曲線状に変化してもよい。
【００９３】
仮輝度ゲイン値を算出した後、仮光照射値算出部９４は、次の式（１０）のように仮輝度ゲイン値Ｇ１と光照射値１／αとを乗じて、仮光照射値１／α１を、部分領域１２６毎に算出する。仮光照射値１／α１は、仮輝度ゲイン値Ｇ１を乗じたものなので、光照射値１／α以上の値となる。
【００９４】
１／α１＝Ｇ１・（１／α）  ・・・（１０）
【００９５】
補正仮輝度ゲイン値算出部９６は、補正仮輝度ゲイン値Ｇ２が、同じ部分領域１２６における仮輝度ゲイン値Ｇ１以下の値となるように、補正仮輝度ゲイン値Ｇ２を部分領域１２６毎に算出する。補正仮輝度ゲイン値算出部９６は、仮光照射値１／α１及び個別上限照射値１／αｍａｘ１に基づき、補正仮輝度ゲイン値Ｇ２を算出する。具体的には、補正仮輝度ゲイン値算出部９６は、式（１１）に示すように、個別上限照射値１／αｍａｘ１に対する仮光照射値１／α１の比率Ｒ１を、部分領域１２６毎に算出する。そして、補正仮輝度ゲイン値算出部９６は、各部分領域１２６の比率Ｒ１の中の最大値である最大比率Ｒ２を検出する。
【００９６】
Ｒ１＝（１／α１）／（１／αｍａｘ１）  ・・・（１１）
【００９７】
ここで、個別上限照射値１／αｍａｘ１は、上述のように、１つの光源部６２が照射可能な光の照射量の上限値である。個別上限照射値１／αｍａｘ１は、光源部６２毎に同じ（共通する）値である。個別上限照射値１／αｍａｘ１を、３０６とすると、部分領域１２６Ｆ（最大部分領域１２６Ｍ）の比率Ｒ１が、最大の１．２５となる。従って、この場合の最大比率Ｒ２は、部分領域１２６Ｆの比率Ｒ１である１．２５となる。なお、補正仮輝度ゲイン値算出部９６は、全ての比率Ｒ１が１より小さい場合には、最大比率Ｒ２を１とする。
【００９８】
次に、補正仮輝度ゲイン値算出部９６は、この最大比率Ｒ２を用いて仮輝度ゲイン値Ｇ１を補正することで、補正仮輝度ゲイン値Ｇ２を算出する。具体的には、補正仮輝度ゲイン値算出部９６は、次の式（１２）のように、各部分領域１２６毎に、仮輝度ゲイン値Ｇ１を最大比率Ｒ２で除して、補正仮輝度ゲイン値Ｇ２を算出する。
【００９９】
Ｇ２＝Ｇ１／Ｒ２  ・・・（１２）
【０１００】
補正仮輝度ゲイン値Ｇ２は、個別上限照射値１／αｍａｘ１に対する仮光照射値１／α１の比率Ｒ１の最大値である最大比率Ｒ２を用いて、仮輝度ゲイン値Ｇ１を補正した値である。最大比率Ｒ２は１以上の値であるため、全ての部分領域１２６において、補正仮輝度ゲイン値Ｇ２は、仮輝度ゲイン値Ｇ１以下の値となる。補正仮輝度ゲイン値算出部９６は、最大比率Ｒ２が１、すなわち全ての部分領域１２６の仮光照射値１／α１が個別上限照射値１／αｍａｘ１以下の値である場合、補正仮輝度ゲイン値Ｇ２を仮輝度ゲイン値Ｇ１と同じ値とする。補正仮輝度ゲイン値算出部９６は、最大比率Ｒ２が１より大きい、少なくとも１つの部分領域１２６における仮光照射値１／α１が個別上限照射値１／αｍａｘ１より大きい値である場合、補正仮輝度ゲイン値Ｇ２を仮輝度ゲイン値Ｇ１より小さい値とする。
【０１０１】
また、補正仮輝度ゲイン値Ｇ２に光照射値１／αを乗じて算出した仮の光照射値（補正仮光照射値）は、同じ部分領域１２６における仮光照射値１／α１以下の値となる。また、この補正仮光照射値は、個別上限照射値１／αｍａｘ１以下の値となる。言い換えれば、補正仮輝度ゲイン値算出部９６は、補正仮輝度ゲイン値Ｇ２と光照射値１／αとを乗じた値が、個別上限照射値１／αｍａｘ１以下の値となるように、補正仮輝度ゲイン値Ｇ２を算出しているということができる。
【０１０２】
図１１は、補正仮輝度ゲイン値の一例を説明するグラフである。図１１の横軸は、仮輝度ゲイン値Ｇ１であり、縦軸は、補正仮輝度ゲイン値Ｇ２である。図１１の線分Ｌ３は、以上の説明に従って補正仮輝度ゲイン値Ｇ２を算出した場合を示している。線分Ｌ３に示すように、仮輝度ゲイン値Ｇ１が１．５、すなわち部分領域１２６Ｆ（最大部分領域１２６Ｍ）における補正仮輝度ゲイン値Ｇ２は、最大の１．２となっている。そして、補正仮輝度ゲイン値Ｇ２は、仮輝度ゲイン値Ｇ１の減少率に比例して小さくなっている。ただし、補正仮輝度ゲイン値Ｇ２は、線分Ｌ３に示すように、仮輝度ゲイン値Ｇ１の変化に比例して線形に変化することに限られず、例えば線分Ｌ４に示すように、仮輝度ゲイン値Ｇ１の変化に伴い曲線状に変化してもよい。
【０１０３】
以上のように補正仮輝度ゲイン値Ｇ２を算出した後、補正仮光照射値算出部９８は、次の式（１３）のように補正仮輝度ゲイン値Ｇ２と光照射値１／αとを乗じて、補正仮光照射値１／α２を、部分領域１２６毎に算出する。補正仮光照射値１／α２は、補正仮輝度ゲイン値Ｇ２を乗じたものなので、光照射値１／α以上の値となる。
【０１０４】
１／α２＝Ｇ２・（１／α）  ・・・（１３）
【０１０５】
次に、輝度ゲイン値算出部９９は、輝度ゲイン値Ｇが、同じ部分領域１２６における補正仮輝度ゲイン値Ｇ２以下の値となるように、部分領域１２６毎に輝度ゲイン値Ｇを算出する。輝度ゲイン値算出部９９は、補正仮光照射値１／α２及び合計補正仮光照射値１／α２ｓｕｍに基づき、輝度ゲイン値Ｇを算出する。具体的には、輝度ゲイン値算出部９９は、全ての部分領域１２６の補正仮光照射値１／α２を合計して、合計補正仮光照射値１／α２ｓｕｍを算出する。輝度ゲイン値算出部９９は、次の式（１４）に示すように、合計上限照射値１／αｍａｘ２に対する合計補正仮光照射値１／α２ｓｕｍの比率Ｒ３を算出する。
【０１０６】
Ｒ３＝（１／α２ｓｕｍ）／（１／αｍａｘ２）  ・・・（１４）
【０１０７】
ここで、合計補正仮光照射値１／α２ｓｕｍは、全ての部分領域１２６の補正仮光照射値１／α２の合計値である。また、合計上限照射値１／αｍａｘ２は、上述のように、各光源部６２の電力消費量の合計の上限値である。従って、比率Ｒ３は、全ての部分領域１２６に共通する１つの値である。輝度ゲイン値算出部９９は、比率Ｒ３が１より小さい場合には、比率Ｒ３を１とする。
【０１０８】
次に、輝度ゲイン値算出部９９は、この比率Ｒ３を用いて各部分領域１２６の補正仮輝度ゲイン値Ｇ２を補正することで、輝度ゲイン値Ｇを算出する。具体的には、補正仮輝度ゲイン値算出部９６は、次の式（１５）のように、各部分領域１２６毎に、補正仮輝度ゲイン値Ｇ２を比率Ｒ３で除して、部分領域１２６毎に輝度ゲイン値Ｇを算出する。
【０１０９】
Ｇ＝Ｇ２／Ｒ３  ・・・（１５）
【０１１０】
輝度ゲイン値Ｇは、合計上限照射値１／αｍａｘ２に対する合計補正仮光照射値１／α２ｓｕｍの比率Ｒ３を用いて、補正仮輝度ゲイン値Ｇ２を補正した値である。この比率Ｒ３は、１以上の値であるため、全ての部分領域１２６において、輝度ゲイン値Ｇは、補正仮輝度ゲイン値Ｇ２以下の値となる。輝度ゲイン値算出部９９は、比率Ｒ３が１、すなわち合計補正仮光照射値１／α２ｓｕｍが合計上限照射値１／αｍａｘ２以下の値である場合は、輝度ゲイン値Ｇを補正仮輝度ゲイン値Ｇ２と同じ値とする。輝度ゲイン値算出部９９は、比率Ｒ３が１より大きい、すなわち合計補正仮光照射値１／α２ｓｕｍが合計上限照射値１／αｍａｘ２より大きい値である場合は、輝度ゲイン値Ｇを補正仮輝度ゲイン値Ｇ２より小さい値とする。
【０１１１】
また、輝度ゲイン値Ｇに光照射値１／αを乗じて算出した補正光照射値の全ての部分領域１２６の合計値は、合計補正仮光照射値１／α２ｓｕｍ以下の値となる。そして、輝度ゲイン値Ｇに光照射値１／αを乗じて算出した補正光照射値の全ての部分領域１２６の合計値は、合計上限照射値１／αｍａｘ２以下の値となる。言い換えれば、輝度ゲイン値算出部９９は、輝度ゲイン値Ｇと光照射値１／αとを乗じた値の部分領域１２６毎の合計値が、合計上限照射値１／αｍａｘ２以下の値となるように、輝度ゲイン値Ｇを算出している。
【０１１２】
以上のように、輝度ゲイン値Ｇは、輝度ゲイン値Ｇと光照射値１／αとを乗じた値（補正光照射値）が個別上限照射値１／αｍａｘ１を超えず、かつ、補正光照射値の合計値が合計上限照射値１／αｍａｘ２を超えないように、仮輝度ゲイン値Ｇ１を補正して算出された値である。従って、輝度ゲイン値決定部８２は、輝度ゲイン値Ｇと光照射値１／αとを乗じた値（補正光照射値）が、予め定められた所定の上限照射値以下の値となるように、最大輝度値Ｌｍａｘ１に基づき、部分領域１２６毎に輝度ゲイン値Ｇを決定しているということができる。また、輝度ゲイン値決定部８２は、仮輝度ゲイン値Ｇ１を用いて輝度ゲイン値Ｇを算出しているため、最大輝度値が高い部分領域１２６ほど、輝度ゲイン値Ｇを大きくしている。また、輝度ゲイン値決定部８２は、複数の部分領域１２６のそれぞれの補正光照射値が、個別上限照射値１／αｍａｘ１以下の値となるように、輝度ゲイン値Ｇを算出している。また、輝度ゲイン値決定部８２は、全ての部分領域１２６の補正光照射値の合計値が、合計上限照射値１／αｍａｘ２以下の値となるように、輝度ゲイン値Ｇを算出している。
【０１１３】
（補正光照射量の算出処理）
以上のように輝度ゲイン値Ｇが算出されたら、光照射制御部８４は、次の式（１６）のように、各部分領域１２６毎に、輝度ゲイン値Ｇと光照射値１／αとを乗じて、補正光照射値１／αＭを算出する。言い換えれば、補正光照射値１／αＭは、光源部６２毎に個別に算出される値である。補正光照射値１／αＭは、輝度ゲイン値Ｇを乗じたものなので、光照射値１／α以上の値となる。
【０１１４】
１／αＭ＝Ｇ・（１／α）  ・・・（１６）
【０１１５】
光照射制御部８４は、補正光照射値１／αＭに基づき面状光源装置制御信号ＳＢＬを生成し、光源駆動部５０に出力する。これにより、各光源部６２は、補正光照射値１／αＭで設定された光の照射量となるように、各部分領域１２６に向けて光を照射する。
【０１１６】
以下に、輝度ゲイン値Ｇ及び補正光照射値１／αＭを算出し、光源部６２に光を照射させる処理フローを、フローチャートを用いて説明する。図１２は、光源部に光を照射させる処理フローを説明するフローチャートである。
【０１１７】
図１２に示すように、光照射値算出部７４は、伸長係数αに基づき、部分領域１２６毎に、光照射値１／αを算出する（ステップＳ４０）。また、輝度算出部７６は、各画素４８の入力信号に基づき、画素４８毎に輝度Ｌを算出する（ステップＳ４２）。輝度Ｌが算出された後、塊判定部７８は、塊検出を実行する（ステップＳ４４）。塊判定部７８は、隣接するサンプリング点にある画素４８が、同じ輝度範囲内にある場合に、画素４８が連続していると判定する。塊判定部７８は、連続すると判定した画素４８の集まり（画素群）を、塊であると判定する（塊検出）。塊判定部７８は、塊内の画素４８の輝度Ｌのうち、最大の輝度Ｌを、塊の輝度Ｌａとして検出する。
【０１１８】
塊検出が実行された後、最大輝度値検出部８０は、部分領域１２６毎に最大輝度値Ｌｍａｘ１を検出する（ステップＳ４６）。最大輝度値検出部８０は、部分領域１２６内において輝度Ｌが最大となる塊の輝度Ｌａを、最大輝度値Ｌｍａｘ１として検出する。最大輝度値Ｌｍａｘ１が検出された後、全域最大輝度値算出部９０は、全域最大輝度値Ｌｍａｘ２を検出する（ステップＳ４８）。全域最大輝度値算出部９０は、全ての部分領域１２６の最大輝度値Ｌｍａｘ１のうち、最大の輝度のものを、全域最大輝度値Ｌｍａｘ２として検出する。
【０１１９】
全域最大輝度値Ｌｍａｘ２が検出された後、仮輝度ゲイン値算出部９２は、設定ゲイン値に基づき、部分領域１２６毎に仮輝度ゲイン値Ｇ１を算出する（ステップＳ５０）。具体的には、仮輝度ゲイン値算出部９２は、上述の式（９）により、輝度ゲイン値Ｇ１を算出する。輝度ゲイン値Ｇ１が算出された後、仮光照射値算出部９４は、上述の式（１０）に基づき、部分領域１２６毎に仮光照射値１／α１を算出する（ステップＳ５２）。
【０１２０】
仮光照射値１／α１が算出された後、補正仮輝度ゲイン値算出部９６は、個別上限照射値１／αｍａｘ１に基づき、部分領域１２６毎に補正仮輝度ゲイン値Ｇ２を算出する（ステップＳ５４）。補正仮輝度ゲイン値算出部９６は、上述の式（１１）及び（１２）に基づき、仮光照射値１／α１に基づき仮輝度ゲイン値Ｇ１を補正して、補正仮輝度ゲイン値Ｇ２と光照射値１／αとを乗じた値が、個別上限照射値１／αｍａｘ１以下の値となるように、補正仮輝度ゲイン値Ｇ２を算出する。
【０１２１】
補正仮輝度ゲイン値Ｇ２が算出された後、補正仮光照射値算出部９８は、上述の式（１３）に基づき、部分領域１２６毎に補正仮光照射値１／α２を算出する（ステップＳ５６）。補正仮光照射値１／α２が算出された後、輝度ゲイン値算出部９９は、合計上限照射値１／αｍａｘ２に基づき、部分領域１２６毎に輝度ゲイン値Ｇを算出する（ステップＳ５８）。輝度ゲイン値算出部９９は、上述の式（１４）及び（１５）に基づき、補正仮光照射値１／α２を用いて補正仮輝度ゲイン値Ｇ２を補正して、輝度ゲイン値Ｇと光照射値１／αとを乗じた値の部分領域１２６毎の合計値が、合計上限照射値１／αｍａｘ２以下の値となるように、輝度ゲイン値Ｇを算出する。
【０１２２】
輝度ゲイン値Ｇが算出された後、光照射制御部８４は、上述の式（１６）に基づき補正光照射値１／αＭを算出し（ステップＳ６０）、補正光照射値１／αＭに基づき、光源部６２に光を照射させる（ステップＳ６２）。光照射制御部８４は、各部分領域１２６毎に、すなわち光源部６２毎に、個別に補正光照射値１／αＭを算出する。
【０１２３】
以上説明したように、本実施形態に係る表示装置１０は、画像表示パネル４０と、複数の光源部６２と、信号処理部２０とを有する。光源部６２は、画像表示パネル４０の画像表示面４１を領域分けした複数の部分領域１２６に対応してそれぞれ配置され、対応する部分領域１２６に光を照射する。信号処理部２０は、光照射値算出部７４と、輝度算出部７６と、塊判定部７８と、最大輝度値検出部８０と、輝度ゲイン値決定部８２と、光照射制御部８４とを有する。光照射値算出部７４は、入力信号に基づき、光照射値１／αを、複数の光源部６２のそれぞれについて算出する。輝度算出部７６は、入力信号に基づき、画素４８の輝度Ｌを算出する。塊判定部７８は、複数の画素４８のうち、所定の輝度値の範囲（輝度範囲）内にある画素４８が連続して存在するかを判定し、連続する画素４８の領域（画素群）を塊と判定する。最大輝度値検出部８０は、１つの部分領域１２６における塊内の画素４８の輝度Ｌａのうち、最大の輝度である最大輝度値Ｌｍａｘ１を、部分領域１２６毎に検出する。輝度ゲイン値決定部８２は、光照射値１／αに輝度ゲイン値Ｇを乗じた値である補正光照射値１／αＭが、予め定められた所定の上限照射値以下の値となるように、最大輝度値Ｌｍａｘ１に基づき、部分領域１２６毎に輝度ゲイン値Ｇを決定する。光照射制御部８４は、補正光照射値１／αＭに基づき、複数の光源部６２に光を照射させる。
【０１２４】
この表示装置１０は、部分領域１２６毎に光の照射量を制御可能なローカルディミング型の表示装置である。従って、画像の一部のみを明るく表示する場合に、その箇所の光の照射量だけを大きくし、他の箇所の光の照射量を抑えて、消費電力を抑制することができる。しかし、この場合、明るく表示する箇所を適切に検出できなければ、適切に光を照射できず、画質の劣化を招くことがある。しかし、この表示装置１０は、画素４８の輝度に基づき検出した塊から、最大輝度値Ｌｍａｘ１を算出する。表示装置１０は、最大輝度値Ｌｍａｘ１に基づき算出した輝度ゲイン値Ｇよって光照射値１／αを伸長して、光源部６２に光を照射させる。すなわち、表示装置１０は、輝度Ｌが高くなる画素４８が集合している箇所（塊）を検出し、その箇所に照射する光を適切に伸長することができる。輝度Ｌが高い画素４８が集合している箇所（明るく表示する箇所）は、そのような画素４８が集合せずに点在している箇所よりも、人に視認されやすい。従って、このような箇所を適切に明るく表示できない場合、画質の劣化が視認されやすくなる。しかし、この表示装置１０は、輝度Ｌに基づき塊検出を行っているため、輝度が高く目立つ箇所に照射する光量を適切に大きくすることで、画質の劣化を抑制することができる。従って、この表示装置１０は、画像を明るく表示する場合において、消費電力を抑制しつつ、画質の劣化を抑制することができる。
【０１２５】
さらに言えば、この表示装置１０は、輝度Ｌに基づき塊を検出しているため、例えば光照射値１／αに基づき塊を検出する場合よりも、より適切に画質の劣化を抑制することができる。光照射値１／αに基づき塊を検出する場合、伸長係数αの値が塊検出の結果に基づき変化する場合がある。一方、輝度Ｌに基づき塊をする場合、光照射値１／αの値を用いないため、塊検出の結果が伸長係数αの値に影響を及ぼすことはない。すなわち、この表示装置１０は、伸長係数αを用いて出力信号を伸長する場合、輝度Ｌに基づき塊を検出するため、伸長係数αを適切な値に保ちつつ、塊検出に基づき光の照射量を適切に高くすることができる。すなわち、この表示装置１０は、伸長係数αを用いて出力信号を伸長する場合に、画質の劣化をより好適に抑制することができる。
【０１２６】
また、表示装置１０は、第４副画素４９Ｗを有し、３色の入力信号のうち第４副画素４９Ｗで表現可能な色成分を、第４副画素４９Ｗで出力している。第４副画素４９Ｗが表示する色は、他の３色より輝度が高い色（ここでは白色）である。従って、表示装置１０は、第４副画素４９Ｗの出力信号を高くした分だけ、光照射値１／α、すなわち光源部６２の照射量を低減させる。すなわち、第４副画素４９Ｗの出力信号を高くした場合、光源部の照射量を塊検出により高くするためのマージン（余裕代）が高くなっている。一方、表示装置１０は、塊検出のために入力信号に基づいた輝度Ｌの値を用いている。この輝度Ｌは、光照射値１／αに関係なく、入力信号の色成分に依存する。従って、表示装置１０は、第４副画素４９Ｗの出力信号を高くした箇所の輝度Ｌが高いと判定し、その箇所の光の照射量をより高くする。すなわち、表示装置１０は、光源部の照射量を高くするためのマージンが高い箇所に対し、光の照射量をより高くするような制御を行うといえる。従って、この表示装置１０は、第４副画素４９Ｗの出力信号を生成する場合に、輝度をより好適に伸長し、画質の劣化をより好適に抑制することができる。
【０１２７】
また、輝度ゲイン値決定部８２は、最大輝度値Ｌｍａｘ１が高い部分領域１２６ほど、輝度ゲイン値Ｇを大きくする。従って、この表示装置１０は、塊の輝度が高い領域ほど、適切に光の照射量を大きくして、より適切に画質の劣化を抑制することができる。
【０１２８】
また、輝度ゲイン値決定部８２は、複数の部分領域１２６のそれぞれの補正光照射値１／αＭが、個別上限照射値１／αｍａｘ１以下の値となるように、輝度ゲイン値Ｇを算出している。個別上限照射値１／αｍａｘ１は、各光源部６２が照射できる光量の上限値である。この表示装置１０は、全ての補正光照射値１／αＭが、個別上限照射値１／αｍａｘ１を超えないように輝度ゲイン値Ｇを設定しているため、個別上限照射値１／αｍａｘ１近くまで画像を明るくしつつ、例えば画面が潰れて見えるなどの、画質の劣化をより適切に抑制することができる。
【０１２９】
また、輝度ゲイン値決定部８２は、全ての部分領域１２６の補正光照射値１／αＭの合計値が、合計上限照射値１／αｍａｘ２以下の値となるように、輝度ゲイン値Ｇを算出している。合計上限照射値１／αｍａｘ２は、光源部６２全体が消費できる電力量の上限値に基づいた値である。補正光照射値１／αＭの合計値が合計上限照射値１／αｍａｘ２を超えた場合、例えば補正光照射値１／αＭで設定しただけの光量を照射できなくなり、画面が潰れて見えるなどの、画質の劣化が生じるおそれがある。しかし、表示装置１０は、補正光照射値１／αＭの合計値が合計上限照射値１／αｍａｘ２を超えないように輝度ゲイン値Ｇを設定しているため、画質の劣化をより適切に抑制することができる。
【０１３０】
また、輝度ゲイン値決定部８２は、全域最大輝度値算出部９０と、仮輝度ゲイン値算出部９２と、補正仮輝度ゲイン値算出部９６と、輝度ゲイン値算出部９９とを有する。全域最大輝度値算出部９０は、全ての部分領域１２６の最大輝度値Ｌｍａｘ１のうち最大の輝度である全域最大輝度値Ｌｍａｘ２を検出する。仮輝度ゲイン値算出部９２は、最大部分領域１２６Ｍにおける仮輝度ゲイン値Ｇ１が設定ゲイン値となり、かつ、最大輝度値Ｌｍａｘ１が小さい部分領域１２６ほど仮輝度ゲイン値Ｇ１が小さくなるように、部分領域１２６毎に仮輝度ゲイン値Ｇ１を算出する。補正仮輝度ゲイン値算出部９６は、仮輝度ゲイン値Ｇ１を補正した補正仮輝度ゲイン値Ｇ２を、補正仮輝度ゲイン値Ｇ２と光照射値１／αとを乗じた値が個別上限照射値１／αｍａｘ１以下の値となるように、部分領域１２６毎に算出する。輝度ゲイン値算出部９９は、補正仮輝度ゲイン値Ｇ２を補正した輝度ゲイン値Ｇを、輝度ゲイン値Ｇと光照射値１／αとを乗じた値の部分領域１２６毎の合計値が、合計上限照射値１／αｍａｘ２以下の値となるように、部分領域１２６毎に算出する。この表示装置１０は、輝度ゲイン値Ｇと光照射値１／αとを乗じて算出した補正光照射値１／αＭが、個別上限照射値１／αｍａｘ１及び合計上限照射値１／αｍａｘ２などの上限値を超えないように、輝度ゲイン値Ｇを算出する。従って、この表示装置１０は、画質の劣化をより適切に抑制することができる。
【０１３１】
（第２実施形態）
次に、第２実施形態について説明する。第２実施形態に係る表示装置１０ａは、輝度ゲイン値決定部８２ａが、第１実施形態とは異なる。第２実施形態において第１実施形態と構成が共通する箇所は、説明を省略する。
【０１３２】
図１３は、第２実施形態に係る信号処理部の構成の概要を示すブロック図である。図１３に示すように、第２実施形態に係る信号処理部２０ａは、輝度ゲイン値決定部８２ａを有する。輝度ゲイン値決定部８２ａは、突き上げ値算出部１００と、第１補正突き上げ値算出部１０２と、余裕値算出部１０３と、第２補正突き上げ値算出部１０４と、仮輝度ゲイン値算出部１０６と、輝度ゲイン値算出部９９ａとを有する。なお、制御装置１１、信号処理部２０ａ、及び光源駆動部５０は、表示装置１０ａの半導体集積回路内に設けられてもよい。
【０１３３】
突き上げ値算出部１００は、光照射値１／αと設定突き上げ値Ｐとを乗じた値である突き上げ値Ｑ０を、部分領域１２６毎に算出する。設定突き上げ値Ｐは、第１実施形態における設定突き上げ値Ｐと同じものである。突き上げ値算出部１００は、共通する設定突き上げ値Ｐを用いて、部分領域１２６毎に突き上げ値Ｑ０を算出する。
【０１３４】
第１補正突き上げ値算出部１０２は、突き上げ値Ｑ０を補正した値である第１補正突き上げ値Ｑ１を算出する。第１補正突き上げ値算出部１０２は、第１補正突き上げ値Ｑ１が、同じ部分領域１２６における突き上げ値Ｑ０以下の値となるように、第１補正突き上げ値Ｑ１を算出する。また、第１補正突き上げ値算出部１０２は、最大輝度値Ｌｍａｘ１が小さい部分領域１２６ほど値が小さくなるように、第１補正突き上げ値Ｑ１を部分領域１２６毎に算出する。
【０１３５】
余裕値算出部１０３は、余裕値Ｆを算出する。余裕値Ｆは、合計上限照射値１／αｍａｘ２から、光照射値１／αの部分領域１２６毎の合計値１／αｓｕｍを差し引いた値である。
【０１３６】
第２補正突き上げ値算出部１０４は、第１補正突き上げ値Ｑ１を補正した値である第２補正突き上げ値Ｑ２を算出する。第２補正突き上げ値算出部１０４は、第２補正突き上げ値Ｑ２が、同じ部分領域１２６における第１補正突き上げ値Ｑ１以下の値となるように、第２補正突き上げ値Ｑ２を算出する。より詳しくは、第２補正突き上げ値算出部１０４は、全ての部分領域１２６の第２補正突き上げ値Ｑ２の合計値が、余裕値Ｆ以下の値となるように、部分領域１２６毎に第２補正突き上げ値Ｑ２を算出する。
【０１３７】
仮輝度ゲイン値算出部１０６は、仮輝度ゲイン値Ｇ１ａを、部分領域１２６毎に算出する。仮輝度ゲイン値Ｇ１ａは、第２補正突き上げ値Ｑ２に光照射量１／αを加えた値を、光照射値１／αで除した値である。
【０１３８】
輝度ゲイン値算出部９９ａは、仮輝度ゲイン値Ｇ１ａを補正した値である輝度ゲイン値Ｇａを算出する。輝度ゲイン値算出部９９ａは、輝度ゲイン値Ｇａが、同じ部分領域１２６における仮輝度ゲイン値Ｇ１ａ以下の値となるように、輝度ゲイン値Ｇａを算出する。より詳しくは、輝度ゲイン値算出部９９ａは、輝度ゲイン値Ｇａに光照射値１／αを乗じた値である補正光照射値１／αＭが個別上限照射値１／αｍａｘ１以下の値となるように、部分領域１２６毎に輝度ゲイン値Ｇａを算出する。
【０１３９】
以下、輝度ゲイン値決定部８２ａによる輝度ゲイン値Ｇａの算出処理について説明する。突き上げ値算出部１００は、突き上げ値Ｑ０を、部分領域１２６毎に算出する。具体的には、突き上げ値算出部１００は、次の式（１７）に示すように、設定突き上げ値Ｐに光照射値１／αを乗じて、突き上げ値Ｑ０を算出する。突き上げ値Ｑ０は、各部分領域１２６の塊の輝度に関わらず、全ての部分領域１２６に対し同じ比率だけ光の照射量を突き上げた（伸長した）と仮定した場合の、突き上げた（伸長した）分の照射量の値である。
【０１４０】
Ｑ０＝Ｐ・（１／α）  ・・・（１７）
【０１４１】
次に、第１補正突き上げ値算出部１０２は、第１補正突き上げ値Ｑ１を算出する。第１補正突き上げ値算出部１０２は、最大部分領域１２６Ｍにおける第１補正突き上げ値Ｑ１を、最大部分領域１２６Ｍにおける突き上げ値Ｑ０と同じ値とする。そして、第１補正突き上げ値算出部１０２は、最大輝度値Ｌｍａｘ１が小さい部分領域１２６ほど第１補正突き上げ値Ｑ１が小さくなるように、部分領域１２６毎に第１補正突き上げ値Ｑ１を算出する。従って、全ての部分領域１２６における第１補正突き上げ値Ｑ１は、突き上げ値Ｑ０以下の値となる。具体的には、第１補正突き上げ値算出部１０２は、次の式（１８）に基づき、第１補正突き上げ値Ｑ１を算出する。
【０１４２】
Ｑ１＝Ｑ０・Ｌｍａｘ１／Ｌｍａｘ２  ・・・（１８）
【０１４３】
すなわち、第１補正突き上げ値算出部１０２は、部分領域１２６毎に、全域最大輝度値Ｌｍａｘ２に対する最大輝度値Ｌｍａｘ１の比率を算出する。第１補正突き上げ値算出部１０２は、それぞれの部分領域１２６に対応するこの比率と突き上げ値Ｑ０とに基づき、部分領域１２６毎に第１補正突き上げ値Ｑ１を算出する。
【０１４４】
余裕値算出部１０３は、次の式（１９）に示すように、合計上限照射値１／αｍａｘ２から、合計値１／αｓｕｍを差し引いて、余裕値Ｆを算出する。合計値１／αｓｕｍは、全ての部分領域１２６の光照射値１／αを合計した値である。すなわち、余裕値Ｆは、全ての部分領域１２６の光照射値１／αの合計値の、合計上限照射値１／αｍａｘ２に対する余裕代であるといえる。言い換えれば、余裕値Ｆは、光照射値１／αを突き上げられる(伸長できる)値であるということができる。
【０１４５】
Ｆ＝（１／αｍａｘ２）−（１／αｓｕｍ）  ・・・（１９）
【０１４６】
第２補正突き上げ値算出部１０４は、第２補正突き上げ値Ｑ２が、同じ部分領域１２６における第１補正突き上げ値Ｑ１以下の値となるように、第２補正突き上げ値Ｑ２を部分領域１２６毎に算出する。第２補正突き上げ値算出部１０４は、第１補正突き上げ値Ｑ１及び余裕値Ｆに基づき、第２補正突き上げ値Ｑ２を算出する。具体的には、第２補正突き上げ値算出部１０４は、全ての部分領域１２６の第１補正突き上げ値Ｑ１の合計値である合計第１補正突き上げ値Ｑ１ｓｕｍを算出する。そして、第２補正突き上げ値算出部１０４は、次の式（２０）に示すように、余裕値Ｆに対する合計第１補正突き上げ値Ｑ１ｓｕｍの比率Ｒ４を算出する。
【０１４７】
Ｒ４＝Ｑ１ｓｕｍ／Ｆ  ・・・（２０）
【０１４８】
ここで、合計第１補正突き上げ値Ｑ１ｓｕｍは、全ての部分領域１２６の合計値である。また、余裕値Ｆは、合計上限照射値１／αｍａｘ２から、合計値１／αｓｕｍを差し引いた値である。従って、比率Ｒ４は、全ての部分領域１２６に共通する１つの値である。第２補正突き上げ値算出部１０４は、比率Ｒ４が１より小さい場合には、比率Ｒ４を１とする。
【０１４９】
第２補正突き上げ値算出部１０４は、次の式（２１）に示すように、第１補正突き上げ値Ｑ１から比率Ｒ４を除して、第２補正突き上げ値Ｑ２を算出する。
【０１５０】
Ｑ２＝Ｑ１／Ｒ４  ・・・（２１）
【０１５１】
ここで、比率Ｒ４は１以上の値であるため、全ての部分領域１２６において、第２補正突き上げ値Ｑ２は、第１補正突き上げ値Ｑ１以下の値となる。第２補正突き上げ値算出部１０４は、比率Ｒ４が１、すなわち光照射値１／αの合計値が合計上限照射値１／αｍａｘ２以下の値である場合（光照射値１／αを突き上げられる余裕代が０以上である場合）、第２補正突き上げ値Ｑ２を第１補正突き上げ値Ｑ１と同じ値とする。また、第２補正突き上げ値算出部１０４は、比率Ｒ４が１より大きい、すなわち光照射値１／αの合計値が合計上限照射値１／αｍａｘ２より大きい値である場合、第２補正突き上げ値Ｑ２を第１補正突き上げ値Ｑ１より小さい値とする。
【０１５２】
以上の処理により、第２補正突き上げ値算出部１０４は、全ての部分領域１２６の第２補正突き上げ値Ｑ２の合計値が、余裕値Ｆ以下の値となるように、第２補正突き上げ値Ｑ２を算出している。
【０１５３】
仮輝度ゲイン値算出部１０６は、仮輝度ゲイン値Ｇ１ａを、部分領域１２６毎に算出する。具体的には、仮輝度ゲイン値算出部１０６は、第２補正突き上げ値Ｑ２に光照射量１／αを加えた値である仮光照射値１／α１ａを、部分領域１２６毎に算出する。仮輝度ゲイン値算出部１０６は、次の式（２２）に示すように、仮光照射値１／α１ａを、光照射値１／αで除して、仮輝度ゲイン値Ｇ１ａを算出する。
【０１５４】
Ｇ１ａ＝（１／α１ａ）／（１／α）  ・・・（２２）
【０１５５】
輝度ゲイン値算出部９９ａは、輝度ゲイン値Ｇａが、同じ部分領域１２６における仮輝度ゲイン値Ｇ１ａ以下の値となるように、輝度ゲイン値Ｇａを部分領域１２６毎に算出する。輝度ゲイン値算出部９９ａは、仮光照射値１／α１ａ及び個別上限照射値１／αｍａｘ１に基づき、輝度ゲイン値Ｇａを算出する。具体的には、輝度ゲイン値算出部９９ａは、式（２３）に示すように、個別上限照射値１／αｍａｘ１に対する仮光照射値１／α１ａの比率Ｒ５を、部分領域１２６毎に算出する。
【０１５６】
Ｒ５＝（１／α１ａ）／（１／αｍａｘ１）  ・・・（２３）
【０１５７】
そして、輝度ゲイン値算出部９９ａは、各部分領域１２６の比率Ｒ５の中の最大値である最大比率Ｒ６を検出する。輝度ゲイン値算出部９９ａは、全ての比率Ｒ５が１より小さい場合には、最大比率Ｒ６を１とする。
【０１５８】
次に、輝度ゲイン値算出部９９ａは、この最大比率Ｒ６を用いて仮輝度ゲイン値Ｇ１ａを補正することで、輝度ゲイン値Ｇａを算出する。具体的には、輝度ゲイン値算出部９９ａは、次の式（２４）のように、各部分領域１２６毎に、仮輝度ゲイン値Ｇ１ａを最大比率Ｒ６で除して、輝度ゲイン値Ｇａを算出する。
【０１５９】
Ｇａ＝Ｇ１ａ／Ｒ６  ・・・（２４）
【０１６０】
最大比率Ｒ６は１以上の値であるため、全ての部分領域１２６において、輝度ゲイン値Ｇａは、仮輝度ゲイン値Ｇ１ａ以下の値となる。輝度ゲイン値算出部９９ａは、最大比率Ｒ６が１、すなわち全ての部分領域１２６の仮光照射値１／α１ａが個別上限照射値１／αｍａｘ１以下の値である場合、輝度ゲイン値Ｇａを仮輝度ゲイン値Ｇ１ａと同じ値とする。輝度ゲイン値算出部９９ａは、最大比率Ｒ６が１より大きい、すなわち少なくとも１つの部分領域１２６における仮光照射値１／α１ａが個別上限照射値１／αｍａｘ１より大きい値である場合、輝度ゲイン値Ｇａを仮輝度ゲイン値Ｇ１ａより小さい値とする。
【０１６１】
また、輝度ゲイン値Ｇａに光照射値１／αを乗じて算出した補正光照射値は、同じ部分領域１２６における仮光照射値１／α１ａ以下の値となる。また、この補正光照射値は、個別上限照射値１／αｍａｘ１以下の値となる。言い換えれば、輝度ゲイン値算出部９９ａは、輝度ゲイン値Ｇａに光照射値１／αを乗じた値が、個別上限照射値１／αｍａｘ１以下の値となるように、輝度ゲイン値Ｇａを算出しているということができる。
【０１６２】
輝度ゲイン値決定部８２ａは、以上のように輝度ゲイン値Ｇａを算出する。従って、輝度ゲイン値決定部８２ａは、輝度ゲイン値Ｇａと光照射値１／αとを乗じた値（補正光照射値）が、予め定められた所定の上限照射値以下の値となるように、最大輝度値Ｌｍａｘ１に基づき、部分領域１２６毎に輝度ゲイン値Ｇａを決定しているということができる。また、輝度ゲイン値決定部８２ａは、最大輝度値が高い部分領域１２６ほど、輝度ゲイン値Ｇａを大きくしている。また、輝度ゲイン値決定部８２ａは、複数の部分領域１２６のそれぞれの補正光照射値が、個別上限照射値１／αｍａｘ１以下の値となるように、輝度ゲイン値Ｇａを算出している。また、輝度ゲイン値決定部８２ａは、全ての部分領域１２６の補正光照射値の合計値が、合計上限照射値１／αｍａｘ２以下の値となるように、輝度ゲイン値Ｇａを算出している。
【０１６３】
以下に、輝度ゲイン値Ｇａ及び補正光照射値１／αＭを算出し、光源部６２に光を照射させる処理フローを、フローチャートを用いて説明する。図１４は、光源部に光を照射させる処理フローを説明するフローチャートである。
【０１６４】
図１４に示すステップＳ４０からステップＳ４６は、第１実施形態（図１２）と同じ処理である。ステップＳ４６の後、突き上げ値算出部１００は、設定突き上げ値Ｐに基づき、部分領域１２６毎に突き上げ値Ｑ０を算出する（ステップＳ７０）。突き上げ値Ｑ０が算出された後、第１補正突き上げ値算出部１０２は、最大輝度値Ｌｍａｘ１が小さいほど値が小さくなるように、部分領域１２６毎に第１補正突き上げ値Ｑ１を算出する（ステップＳ７２）。第１補正突き上げ値算出部１０２は、上述の式（１８）に基づき第１補正突き上げ値Ｑ１を算出する。また、余裕値算出部１０３は、合計上限照射値１／αｍａｘ２に基づき、余裕値Ｆを算出する（ステップＳ７４）。余裕値算出部１０３は、上述の式（１９）に基づき余裕値Ｆを算出する。
【０１６５】
第１補正突き上げ値Ｑ１及び余裕値Ｆが算出された後、第２補正突き上げ値算出部１０４は、余裕値Ｆに基づき、部分領域１２６毎に第２補正突き上げ値Ｑ２を算出する（ステップＳ７６）。第２補正突き上げ値算出部１０４は、上述の式（２０）及び式（２１）に基づき、第２補正突き上げ値Ｑ２を算出する。第２補正突き上げ値Ｑ２が算出された後、仮輝度ゲイン値算出部１０６は、第２補正突き上げ値Ｑ２に基づき、部分領域１２６毎に仮輝度ゲイン値Ｇ１ａを算出する（ステップＳ７８）。仮輝度ゲイン値算出部１０６は、上述の式（２２）に基づき、仮輝度ゲイン値Ｇ１ａを算出する。
【０１６６】
次に、輝度ゲイン値算出部９９ａは、個別上限照射値１／αｍａｘ１に基づき、部分領域１２６毎に輝度ゲイン値Ｇａを算出する（ステップＳ８０）。輝度ゲイン値算出部９９ａは、上述の式（２３）及び式（２４）に基づき、輝度ゲイン値Ｇａを算出する。ステップＳ８０の後は、第１実施形態と同様にステップＳ６０及びステップＳ６２を実行して、補正光照射値１／αＭを算出し、補正光照射値１／αＭに基づき光源部６２に光を照射させる。これにより、本処理は終了する。
【０１６７】
以上説明したように、第２実施形態に係る輝度ゲイン値決定部８２ａは、突き上げ値算出部１００と、第１補正突き上げ値算出部１０２と、余裕値算出部１０３と、第２補正突き上げ値算出部１０４と、仮輝度ゲイン値算出部１０６と、輝度ゲイン値算出部９９ａとを有する。突き上げ値算出部１００は、光照射値１／αと設定突き上げ値Ｐとを乗じた値である突き上げ値Ｑ０を、部分領域１２６毎に算出する。第１補正突き上げ値算出部１０２は、突き上げ値Ｑ０を補正した値である第１補正突き上げ値Ｑ１を、最大輝度値Ｌｍａｘ１が小さい部分領域１２６ほど値が小さくなるように、部分領域１２６毎に算出する。余裕値算出部１０３は、合計上限照射値１／αｍａｘ２から合計値１／αｓｕｍを差し引いた値である余裕値Ｆを算出する。第２補正突き上げ値算出部１０４は、第１補正突き上げ値Ｑ１を補正した値である第２補正突き上げ値Ｑ２を、全ての部分領域１２６の第２補正突き上げ値Ｑ２の合計値が、余裕値Ｆ以下の値となるように部分領域１２６毎に算出する。仮輝度ゲイン値算出部１０６は、第２補正突き上げ値Ｑ２に光照射値１／αを加えた値を、光照射値１／αで除した仮輝度ゲイン値Ｇ１ａを、部分領域１２６毎に算出する。輝度ゲイン値算出部９９ａは、仮輝度ゲイン値Ｇ１ａを補正した値である輝度ゲイン値Ｇａを、補正光照射値１／αＭが個別上限照射値１／αｍａｘ１以下の値となるように、部分領域１２６毎に算出する。
【０１６８】
第２実施形態に係る表示装置１０ａは、輝度ゲイン値Ｇａと光照射値１／αとを乗じて算出した補正光照射値１／αＭが、個別上限照射値１／αｍａｘ１及び合計上限照射値１／αｍａｘ２などの上限値を超えないように、輝度ゲイン値Ｇａを算出する。従って、この表示装置１０ａは、画質の劣化をより適切に抑制することができる。また、表示装置１０ａは、合計上限照射値１／αｍａｘ２に基づき余裕値Ｆを算出し、第２補正突き上げ値Ｑ２の合計値が、余裕値Ｆ以下の値となるように第２補正突き上げ値Ｑ２を設定する。その後、表示装置１０ａは、補正光照射値１／αＭが個別上限照射値１／αｍａｘ１以下の値となるように、輝度ゲイン値Ｇａを設定している。すなわち、表示装置１０ａは、補正光照射値１／αＭの合計値が合計上限照射値１／αｍａｘ２を超えないようにする処理を先に行い、補正光照射値１／αＭが個別上限照射値１／αｍａｘ１を超えないようにする処理を後で行う。これにより、表示装置１０ａは、補正光照射値１／αＭの合計値が合計上限照射値１／αｍａｘ２を超えないように、より適切に輝度ゲイン値Ｇａを算出することができる。
【０１６９】
（第３実施形態）
次に、第３実施形態について説明する。第３実施形態に係る表示装置１０ｂは、光照射値算出部が、第１実施形態とは異なる。第３実施形態において第１実施形態と構成が共通する箇所は、説明を省略する。
【０１７０】
図１５Ａは、第３実施形態に係る信号処理部の構成の概要を示すブロック図である。図１５Ａに示すように、第３実施形態に係る信号処理部２０ｂは、光照射値算出部７４ｂを有する。光照射値算出部７４ｂは、光照射値仮算出部７３と、色相判定部１１２と、光照射値計数部１１４と、塊判定部１１６と、光照射値決定部１１８とを有する。
【０１７１】
光照射値仮算出部７３は、第１実施形態に係る光照射値算出部７４の画素４８毎の光照射値１／α０と同様の方法で、画素４８毎の光照射値１／α０を算出する。色相判定部１１２は、入力信号または出力信号に基づいて、各画素の色相を判定する。光照射値計数部１１４は、光照射値仮算出部７３で算出した結果と色相判定部１１２で算出した色相を所定のアルゴリズムを用いて処理し、光照射値１／αａを算出する。ここで、所定のアルゴリズムとしては、例えば、部分領域１２６内の光照射値１／α０の分布を算出し、その光照射値１／α０を有する画素４８が所定画素数以上となり、かつその中で最も高い光照射値１／α０を、１つの部分領域１２６に共通する全域の光照射値１／αａとする処理を用いることができる。光照射値計数部１１４は、部分領域１２６の全域を解析して全域に対する光照射値１／αａを算出する。塊判定部１１６は、光照射値仮算出部７３及び色相判定部１１２の結果に基づいて、すなわち光照射値１／α０及び色相に基づき塊を検出し、塊の検出の結果に基づいて塊の光照射値１／αｂを決定する。塊判定部１１６は、光照射値１／α０に基づき塊検出を行う点で、塊判定部７８とは異なる。
【０１７２】
光照射値決定部１１８は、光照射値計数部１１４で算出される結果（全域の光照射値１／αａ）と塊判定部１１６で算出される結果（塊の光照射値１／αｂ）に基づいて、部分領域１２６の光照射値１／αを決定する。すなわち、第３実施形態においては、光照射値１／αの算出方法が、第１実施形態とは異なる。
【０１７３】
次に、第３実施形態における光照射値１／αの算出処理をより詳細に説明する。図１５Ｂは、第３実施形態における光照射値の算出処理を説明するフローチャートである。図１５Ｂに示すように、光照射値算出部７４ｂは、光照射値仮算出部７３により、各画素の光照射値１／α０を検出（算出）し（ステップＳ７０）、算出した各画素の光照射値１／α０に基づいて、光照射値計数部１１４により部分領域１２６毎に全域の光照射値１／αａを決定しつつ（ステップＳ７２）、塊判定部１１６により塊の光照射値１／αｂを決定する（ステップＳ７４）。
【０１７４】
光照射値計数部１１４は、所定のアルゴリズムを用いて、全域の光照射値１／αａを算出する。具体的には、光照射値計数部１１４は、部分領域１２６内の光照射値１／α０の分布を算出し、ある光照射値１／α０を有する画素４８が所定画素数以上となり、その中で最も高い光照射値１／α０を、全域の光照射値１／αａとする。塊の光照射値１／αｂの算出処理については後述する。なお、ステップＳ７２の処理とステップＳ７４の処理は並行して行ってもよいし、順番に行ってもよい。
【０１７５】
光照射値算出部７４ｂは、全域の光照射値１／αａと塊の光照射値１／αｂを決定したら、光照射値決定部１１８により、有効サンプルがあるかを判定する（ステップＳ７６）。有効サンプルとは、サンプリング点の画素のうち連続すると判定された画素群、すなわち塊であり、有効サンプルがないとは、連続すると判定された画素がない、すなわち塊が検出されなかった場合をいう。具体的には、光照射値決定部１１８は、有効と判定できるサンプルの数、サンプリング数が０より大きいかを判定する。光照射値決定部１１８は、有効サンプルがない（ステップＳ７６；Ｎｏ）、つまり有効サンプリング数が０であると判定した場合、予め設定されたデフォルト値を光照射値１／αに決定し（ステップＳ７８）、本処理を終了する。ここで、デフォルト値としては、例えば８‘ｈ２０を用いることができる。
【０１７６】
光照射値決定部１１８は、有効サンプルがある（ステップＳ７６；Ｙｅｓ）、つまり有効サンプリング数が１以上であると判定した場合、全域の光照射値１／αａ＞塊の光照射値１／αｂであるかを判定する（ステップＳ８０）。光照射値決定部１１８は、全域の光照射値１／αａ＞塊の光照射値１／αｂである（ステップＳ８０；Ｙｅｓ）と判定した場合、全域の光照射値１／αａを光照射値１／αに決定し（ステップＳ８２）、本処理を終了する。光照射値決定部１１８は、全域の光照射値１／αａ≦塊の光照射値１／αｂである（ステップＳ８０；Ｎｏ）と判定した場合、塊の光照射値１／αｂを光照射値１／αに決定し（ステップＳ８４）、本処理を終了する。つまり、光照射値決定部１１８は、大きい方を光照射値１／αに設定する。
【０１７７】
以下に、塊の光照射値１／αｂの算出方法について説明する。塊判定部１１６は、塊の光照射値１／αｂを算出する際、画素の輝度Ｌの代わりに光照射値１／α０を用いて、塊判定部７８と同様の方法（図８Ａを参照）で、水平方向の塊検出を行う。すなわち、塊判定部１１６は、起点画素４８ｓとサンプリング点の画素４８が、同じ光照射値１／α０の数値範囲に属している場合に、それらの画素４８が連続していると判定し、連続した画素を、塊であると判定する。垂直方向の塊検出も、水平方向と同様である。塊判定部１１６は、水平方向で塊であると判定された画素４８のうち、例えば光照射値１／α０が最大の画素４８の光照射値１／α０を、水平方向の塊の光照射値１／αｂとする。同様に、塊判定部１１６は、垂直方向で塊であると判定された画素４８のうち、例えば光照射値１／α０が最大の画素４８の光照射値１／α０を、垂直方向の塊の光照射値１／αｂとする。
【０１７８】
図１５Ｃは、第３実施形態における塊の光照射値の算出方法を示すフローチャートである。図１５Ｃに示すように、まず、塊判定部１１６は、各画素の１／α０に基づいて、水平方向の塊の１／αｂを算出しつつ（ステップＳ９０）、垂直方向の塊の１／αｂを算出する（ステップＳ９２）ここで、ステップＳ９０の処理とステップＳ９２の処理は並行して行ってもよいし、順番に行ってもよい。
【０１７９】
塊判定部１１６は、水平方向、垂直方向の塊の１／αｂを算出したら、水平方向の塊の１／αｂ＞垂直方向の塊の１／αｂであるかを判定する（ステップＳ９４）。塊判定部１１６は、水平方向の塊の１／αｂ＞垂直方向の塊の１／αｂである（ステップＳ９４；Ｙｅｓ）と判定した場合、水平方向の塊の１／αｂを塊の１／αｂに決定し（ステップＳ９６）、本処理を終了する。塊判定部１１６は、水平方向の塊の１／αｂ＞垂直方向の塊の１／αｂではない（ステップＳ９４；Ｎｏ）、つまり水平方向の塊の１／αｂ≦垂直方向の塊の１／αｂであると判定した場合、水平方向の塊の１／αｂ＜垂直方向の塊の１／αｂであるかを判定する（ステップＳ９７）。
【０１８０】
塊判定部１１６は、水平方向の塊の１／αｂ＜垂直方向の塊の１／αｂである（ステップＳ９７；Ｙｅｓ）と判定した場合、垂直方向の塊の１／αｂを塊の１／αｂに決定し（ステップＳ９８）、本処理を終了する。つまり、塊判定部１１６は、大きい方を塊の１／αｂに設定する。塊判定部１１６は、水平方向の塊の１／αｂ＜垂直方向の塊の１／αｂではない（ステップＳ９７；Ｎｏ）と判定した場合、つまり、水平方向の塊の１／αｂ＝垂直方向の塊の１／αｂである場合、色相の優先順位に基づいて塊の１／αｂを決定する（ステップＳ９９）。具体的には、水平方向の塊の１／αｂと垂直方向の塊の１／αｂとのうち、色相優先順位の高い方を塊の１／αｂとする。優先順位としては、優先順位が高い順に、黄、黄緑、シアン、緑、マゼンタ、バイオレット、赤、青の順が例示される。
【０１８１】
光照射値算出部７４ｂは、以上のように、部分領域１２６の光照射値１／αを決定する。輝度ゲイン値決定部８２は、この光照射値１／αを用いて、第１実施形態と同様の処理を実行して輝度ゲイン値Ｇを算出する。光照射制御部８４は、この光照射値１／α及び輝度ゲイン値Ｇを用いて補正光照射値１／αＭを算出し、光源部６２に光を照射させる。
【０１８２】
このように、第３実施形態に係る表示装置１０ｂは、塊検出により光照射値１／αを算出する。これにより、補正光照射値１／αＭをより適切に算出することができる。この塊検出により光照射値１／αを算出する処理は、第２実施形態に係る表示装置１０ａにも適用可能である。
【０１８３】
（適用例１）
次に、以上説明した表示装置１０の適用例１について説明する。図１６は、適用例１における制御装置と表示装置の構成を示すブロック図である。図１６に示すように、適用例１における表示装置１０は、第１実施形態のものであるが、第２実施形態及び第３実施形態に係る表示装置も適用可能である。適用例１における制御装置１１Ｃは、ガンマ変換部１３を有する。ガンマ変換部１３は、入力信号をガンマ変換して変換入力信号を生成する。ガンマ変換部１３は、部分領域１２６、又は領域１２４毎に、異なるガンマ変換処理を施すことが可能である。適用例１における画像出力部１２は、この変換入力信号を、入力信号として信号処理部２０に出力する。信号処理部２０は、この変換入力信号に対して、第１実施形態における入力信号に対する処理と同様の処理を行い、画像を表示させる。
【０１８４】
図１７から図１９は、適用例１における出力信号と入力信号とを説明するグラフである。図１７から図１９の横軸は、処理前の輝度を示し、縦軸は、処理後の輝度を示す。図１７の線分Ｔ０は、入力信号に処理を加えない場合を示している。図１７の線分Ｔ１は、線分Ｔ０に示す入力信号を、上に凸になるようにガンマ変換した変換入力信号を示している。図１７の線分Ｔ２は、線分Ｔ１の変換入力信号に対し、信号処理部２０により光源部６２の光の照射量を伸長した場合における出力信号を示している。線分Ｔ２に示すように、上に凸になるようにガンマ変換した変換入力信号が入力された場合、信号処理部２０により光源部６２の光の照射量を伸長することにより、上に凸の形状をそのままにして、輝度をより高くすることが可能となる。
【０１８５】
図１８の線分Ｔ３は、線分Ｔ０に示す入力信号を、傾きが急になるようにガンマ変換した変換入力信号を示している。図１８の線分Ｔ４は、線分Ｔ３の変換入力信号に対し、信号処理部２０により光源部６２の光の照射量を伸長した場合における出力信号を示している。線分Ｔ４に示すように、傾きが急になるようにガンマ変換した変換入力信号が入力された場合、信号処理部２０により光源部６２の光の照射量を伸長することにより、傾きをより急にして、輝度をより高くすることが可能となる。
【０１８６】
図１９の線分Ｔ５は、線分Ｔ０に示す入力信号を、下に凸になるように、すわなち輝度を低減させるようにガンマ変換した変換入力信号を示している。図１９の線分Ｔ６は、線分Ｔ５の変換入力信号に対し、信号処理部２０の処理を行った場合の出力信号を示している。線分Ｔ６は、線分Ｔ５と同じ線となる。線分Ｔ６に示すように、下に凸になるようにガンマ変換した変換入力信号が入力された場合、輝度が低減したものとなるため、信号処理部２０の処理を行っても、それより輝度を下げないことが可能になる。なお、ガンマ変換部１３は、１つの画像を表示する場合に、異なる領域１２４毎に、それぞれ図１７、図１８、図１９のいずれかのガンマ変換を割り当てることができる。
【０１８７】
（適用例２）
次に、図２０及び図２１を参照して、第１実施形態で説明した表示装置１０の適用例について説明する。図２０及び図２１は、第１実施形態に係る表示装置を適用する電子機器の一例を示す図である。第１実施形態に係る表示装置１０は、図２０に示すカーナビゲーションシステム、テレビジョン装置、デジタルカメラ、ノート型パーソナルコンピュータ、図２１に示す携帯電話等の携帯端末装置あるいはビデオカメラなどのあらゆる分野の電子機器に適用することが可能である。言い換えると、第１実施形態に係る表示装置１０は、外部から入力された映像信号あるいは内部で生成した映像信号を、画像あるいは映像として表示するあらゆる分野の電子機器に適用することが可能である。電子機器は、表示装置に映像信号を供給し、表示装置の動作を制御する制御装置１１（図１参照）を備える。なお、本適用例は、第１実施形態に係る表示装置１０以外でも、以上説明した他の実施形態に係る表示装置にも適用できる。
【０１８８】
図２０に示す電子機器は、第１実施形態に係る表示装置１０が適用されるカーナビゲーション装置である。表示装置１０は、自動車の車内のダッシュボード３００に設置される。具体的にはダッシュボード３００の運転席３１１と助手席３１２の間に設置される。カーナビゲーション装置の表示装置１０は、ナビゲーション表示、音楽操作画面の表示、又は、映画再生表示等に利用される。
【０１８９】
図２１に示す電子機器は、第１実施形態に係る表示装置１０が適用される携帯型コンピュータ、多機能な携帯電話、音声通話可能な携帯コンピュータまたは通信可能な携帯コンピュータとして動作し、いわゆるスマートフォン、タブレット端末と呼ばれることもある、情報携帯端末である。この情報携帯端末は、例えば筐体５６２の表面に表示部５６１を有している。この表示部５６１は、第１実施形態に係る表示装置１０と外部近接物体を検出可能なタッチ検出（いわゆるタッチパネル）機能とを備えている。
【０１９０】
以上、本発明の実施形態を説明したが、これらの実施形態の内容によりこれらの実施形態が限定されるものではない。また、前述した構成要素には、当業者が容易に想定できるもの、実質的に同一のもの、いわゆる均等の範囲のものが含まれる。さらに、前述した構成要素は適宜組み合わせることが可能である。さらに、前述した実施形態の要旨を逸脱しない範囲で構成要素の種々の省略、置換又は変更を行うことができる。
【符号の説明】
【０１９１】
１０  表示装置
２０  信号処理部
３０  画像表示パネル駆動部
４０  画像表示パネル
４８  画素
４９Ｒ  第１副画素
４９Ｇ  第２副画素
４９Ｂ  第３副画素
４９Ｗ  第４副画素
５０  光源駆動部
６０  光源ユニット
６２  光源部
７０  伸長係数算出部
７２  出力信号生成部
７４  光照射値算出部
７６  輝度算出部
７８  塊判定部
８０  最大輝度値検出部
８２  輝度ゲイン値決定部
８４  光照射制御部
９０  全域最大輝度値算出部
９２  仮輝度ゲイン値算出部
９４  仮光照射値算出部
９６  補正仮輝度ゲイン値算出部
９８  補正仮光照射値算出部
９９  輝度ゲイン値算出部
【図１】
2018036505.tif 000003
【図２】
2018036505.tif 000004
【図３】
2018036505.tif 000005
【図４】
2018036505.tif 000006
【図５】
2018036505.tif 000007
【図６】
2018036505.tif 000008
【図７】
2018036505.tif 000009
【図８Ａ】
2018036505.tif 000010
【図８Ｂ】
2018036505.tif 000011
【図８Ｃ】
2018036505.tif 000012
【図９】
2018036505.tif 000013
【図１０】
2018036505.tif 000014
【図１１】
2018036505.tif 000015
【図１２】
2018036505.tif 000016
【図１３】
2018036505.tif 000017
【図１４】
2018036505.tif 000018
【図１５Ａ】
2018036505.tif 000019
【図１５Ｂ】
2018036505.tif 000020
【図１５Ｃ】
2018036505.tif 000021
【図１６】
2018036505.tif 000022
【図１７】
2018036505.tif 000023
【図１８】
2018036505.tif 000024
【図１９】
2018036505.tif 000025
【図２０】
2018036505.tif 000026
【図２１】
2018036505.tif 000027